(57)【要約】      （修正有）【課題】競売入札システムを提供する。【解決手段】広告主などのメディアコンテンツプロバイダが、ターゲットを絞った視聴者に関する入札制約を定義することを可能にし、さらに入札可能な無線デバイス資産が定義される場合、無線デバイスメモリ、無線デバイスアプリケーション、無線デバイスリングトーン、無線デバイス壁紙などの無線デバイス資産に対して入札することを可能にする。さらに、メモリ、アプリケーション、リングトーン、壁紙などのユーザのそれぞれの無線デバイス資産の割当てに参加するとともに、無線デバイス資産の割当てが行われるのに満たされるべきである、コンテンツタイプ、期間などの条件を定義するオプションを無線デバイスユーザに提供する。１つまたは複数の態様において、無線デバイスユーザは、資産割当てプランに参加することを選択するユーザの意欲に基づいて、何らかの形態で報酬を受けることが可能である。【選択図】図２
2014013580.tif 000002
【特許請求の範囲】
【請求項１】
無線デバイス関連の資産を競売にかけるための方法であって、
複数のメディアコンテンツプロバイダから、少なくとも１つの無線デバイス資産と、各無線デバイス資産に関連付けられた少なくとも１つの入札制約とを識別する資産獲得要求を受信すること、
等価の無線デバイス資産と、前記等価の無線デバイス資産に関連付けられた入札制約の少なくとも１つのマッチとを識別する２つ以上の資産獲得要求に基づいて、入札可能な無線デバイス資産を決定し、前記入札可能な無線デバイス資産は、前記等価の無線デバイス資産と、前記マッチした入札制約とを含むこと、
前記２つ以上のメディアコンテンツプロバイダの少なくとも１つから、前記入札可能な無線デバイス資産に対する入札を受信すること、
各入札に適用される所定の割当てルーチンに基づいて、前記入札可能な無線デバイス資産に関する勝者メディアコンテンツプロバイダを決定すること、および
前記入札可能な無線デバイス資産を、所定の期間にわたって前記勝者メディアコンテンツプロバイダに関連付けられた、割り当てられた無線デバイス資産として格納することを備える方法。
【請求項２】
複数のメディアコンテンツプロバイダから、少なくとも１つの無線デバイス資産と、少なくとも１つの入札制約とを識別する前記資産獲得要求を受信することは、少なくとも１つの無線デバイス資産と、無線デバイスロケーション、期間、ユーザプロファイル情報、およびユーザ使用情報から成る入札制約のグループから選択された少なくとも１つの入札制約とを識別する前記資産獲得要求を受信することをさらに備える請求項１に記載の方法。
【請求項３】
各入札に適用される所定の割当てルーチンに基づいて、前記入札可能な無線デバイス資産に関する勝者メディアコンテンツプロバイダを決定することは、所定の期間にわたって各入札を最適化して、いずれの入札が勝者無線デバイス資産入札であるかを決定することをさらに備える請求項１に記載の方法。
【請求項４】
入札プロセスの結果と関係する自動化されたフィードバックを各入札者に供給することをさらに備える請求項１に記載の方法。
【請求項５】
前記入札プロセスの結果と関係する自動化されたフィードバックを各入札者に供給することは、メディアコンテンツプロバイダに割り当てられた無線デバイス資産数対前記メディアコンテンツプロバイダによって潜在的に調達される前記無線デバイス資産数の比として定義された実際の成功率を供給することをさらに備える請求項４に記載の方法。
【請求項６】
前記入札プロセスの結果と関係する自動化されたフィードバックを各入札者に供給することは、メディアコンテンツプロバイダに潜在的に割り当てられる無線デバイス資産数対利用可能な無線デバイス資産数の比として定義された１つまたは複数のシミュレートされた成功率を供給することをさらに備える請求項４に記載の方法。
【請求項７】
前記割り当てられた無線デバイス資産にメディアコンテンツを供給することを前記勝者メディアコンテンツプロバイダに許可することをさらに備える請求項１に記載の方法。
【請求項８】
前記無線デバイス資産の１つまたは複数の資産の割当てに参加する割当てオプションを複数の無線デバイスに供給することをさらに備える請求項１に記載の方法。
【請求項９】
１つまたは複数の無線デバイスから、割り当てられるべき無線デバイス資産としての少なくとも１つの利用可能な無線デバイス資産の指定を示す割当て指示を受信することをさらに備える請求項８に記載の方法。
【請求項１０】
前記無線デバイスの割り当てられた無線デバイス資産に関する前記１つまたは複数の勝者無線デバイス資産入札数に比例するレートで、無線デバイス資産の割当ての報酬を払うことをさらに備える請求項９に記載の方法。
【請求項１１】
１つまたは複数の無線デバイスから割当て指示を受信することは、前記少なくとも１つの利用可能な無線デバイス資産の割当てと関係する１つまたは複数の条件を含む割当て指示を受信することをさらに備え、前記１つまたは複数の条件は、前記それぞれの無線デバイス資産の前記割当てをトリガするのに満たされるべきである請求項９に記載の方法。
【請求項１２】
前記１つまたは複数の条件が満たされ、さらに勝者無線デバイス資産入札が、各条件と関係する場合、識別された条件の数量に比例するレートで、無線デバイス資産の割当ての報酬を払うことをさらに備える請求項１１に記載の方法。
【請求項１３】
無線デバイス関連の資産を競売にかけるように構成された少なくとも１つのプロセッサであって、
複数のメディアコンテンツプロバイダから、少なくとも１つの無線デバイス資産と、各無線デバイス資産に関連付けられた少なくとも１つの入札制約とを識別する資産獲得要求を受信するための第１のモジュールと、
等価の無線デバイス資産と、前記等価の無線デバイス資産に関連付けられた入札制約の少なくとも１つのマッチとを識別する２つ以上の資産獲得要求に基づいて、入札可能な無線デバイス資産を決定するための第２のモジュールと、前記入札可能な無線デバイス資産は、前記等価の無線デバイス資産と、前記マッチした入札制約とを含み、
前記２つ以上のメディアコンテンツプロバイダの少なくとも１つから、前記入札可能な無線デバイス資産に対する入札を受信するための第３のモジュールと、
各入札に適用される所定の割当てルーチンに基づいて、前記入札可能な無線デバイス資産に関する勝者メディアコンテンツプロバイダを決定するための第４のモジュールと、
前記入札可能な無線デバイス資産を、所定の期間にわたって前記勝者メディアコンテンツプロバイダに関連付けられた、割り当てられた無線デバイス資産として格納するための第５のモジュールとを備えるプロセッサ。
【請求項１４】
複数のメディアコンテンツプロバイダから、少なくとも１つの無線デバイス資産と、各無線デバイス資産に関連付けられた少なくとも１つの入札制約とを識別する資産獲得要求をコンピュータに受信させるための少なくとも１つの命令と、
等価の無線デバイス資産と、前記等価の無線デバイス資産に関連付けられた入札制約の少なくとも１つのマッチとを識別する２つ以上の資産獲得要求に基づいて、入札可能な無線デバイス資産を前記コンピュータに決定させるための少なくとも１つの命令と、前記入札可能な無線デバイス資産は、前記等価の無線デバイス資産と、前記マッチした入札制約とを含み、
前記２つ以上のメディアコンテンツプロバイダの少なくとも１つから、前記入札可能な無線デバイス資産に対する入札を前記コンピュータに受信させるための少なくとも１つの命令と、
各入札に適用される所定の割当てルーチンに基づいて、前記入札可能な無線デバイス資産に関する勝者メディアコンテンツプロバイダを前記コンピュータに決定させるための少なくとも１つの命令と、
前記入札可能な無線デバイス資産を、所定の期間にわたって前記勝者メディアコンテンツプロバイダに関連付けられた、割り当てられた無線デバイス資産として前記コンピュータに格納させるための少なくとも１つの命令とを備えるコンピュータ可読媒体を備えるコンピュータプログラム製品。
【請求項１５】
複数のメディアコンテンツプロバイダから、少なくとも１つの無線デバイス資産と、各無線デバイス資産に関連付けられた少なくとも１つの入札制約とを識別する資産獲得要求を受信するための手段と、
等価の無線デバイス資産と、前記等価の無線デバイス資産に関連付けられた入札制約の少なくとも１つのマッチとを識別する２つ以上の資産獲得要求に基づいて、入札可能な無線デバイス資産を決定するための手段と、前記入札可能な無線デバイス資産は、前記等価の無線デバイス資産と、前記マッチした入札制約とを含み、
前記２つ以上のメディアコンテンツプロバイダの少なくとも１つから、前記入札可能な無線デバイス資産に対する入札を受信するための手段と、
各入札に適用される所定の割当てルーチンに基づいて、前記入札可能な無線デバイス資産に関する勝者メディアコンテンツプロバイダを決定するための手段と、
前記入札可能な無線デバイス資産を、所定の期間にわたって前記勝者メディアコンテンツプロバイダに関連付けられた、割り当てられた無線デバイス資産として格納するための手段とを備える装置。
【請求項１６】
少なくとも１つのプロセッサと、メモリとを含むコンピュータプラットフォームと、
前記メモリの中に格納され、さらに前記少なくとも１つのプロセッサによって実行可能な資産競売モジュールとを備える、無線デバイス資産を競売にかけるためのネットワークデバイスであって、
前記資産競売モジュールは、
複数のメディアコンテンツプロバイダから、少なくとも１つの無線デバイス資産と、各無線デバイス資産に関連付けられた少なくとも１つの入札制約とを識別する資産獲得要求を受信するように動作可能な資産獲得要求レシーバと、
等価の無線デバイス資産と、前記等価の無線デバイス資産に関連付けられた入札制約の少なくとも１つのマッチとを識別する２つ以上の資産獲得要求に基づいて、入札可能な無線デバイス資産を決定するように動作可能な入札可能な資産決定器と、前記入札可能な無線デバイス資産は、前記等価の無線デバイス資産と、前記マッチした入札制約とを含み、
前記２つ以上の無線デバイス調達側の少なくとも１つから、入札可能な無線デバイス資産入札を受信するように動作可能な入札レシーバと、
各入札に適用される所定の割当てルーチンに基づいて、前記入札可能な無線デバイス資産に関する勝者メディアコンテンツプロバイダを決定するように動作可能な割当てルーチンと、
前記入札可能な無線デバイス資産を、所定の期間にわたって前記勝者メディアコンテンツプロバイダに関連付けられた、割り当てられた無線デバイス資産として格納するように動作可能な割当て資産ストレージとを備えるネットワークデバイス。
【請求項１７】
前記メモリの中に格納され、さらに前記プロセッサによって実行可能なネットワークプラットフォームモジュールをさらに備え、前記ネットワークプラットフォームモジュールは、前記資産獲得要求を開始するためのプラットフォームを提供し、さらに前記入札可能な無線デバイス資産に対して入札するように動作可能である請求項１６に記載のネットワークデバイス。
【請求項１８】
前記資産獲得要求レシーバは、少なくとも１つの無線デバイス資産と、無線デバイスロケーション、期間、ユーザプロファイル情報、およびユーザ使用情報から成る入札制約のグループから選択された少なくとも１つの入札制約とを識別する前記資産獲得要求を受信するようにさらに動作可能である請求項１６に記載のネットワークデバイス。
【請求項１９】
前記割当てルーチンは、所定の期間にわたって前記入札のそれぞれを最適化して、いずれの入札が勝者資産入札であるかを決定するようにさらに動作可能である請求項１６に記載のネットワークデバイス。
【請求項２０】
前記メモリの中に格納され、さらに前記少なくとも１つのプロセッサによって実行可能な資産競売フィードバックモジュールをさらに備え、前記資産競売フィードバックモジュールは、入札プロセスの結果と関係する自動化されたフィードバックを供給するように動作可能である請求項１６に記載のネットワークデバイス。
【請求項２１】
前記資産競売フィードバックモジュールは、メディアコンテンツプロバイダに割り当てられた無線デバイス資産数と、前記メディアコンテンツプロバイダによって調達されるように試みられた前記無線デバイス資産数との比として定義された実際の成功率を供給するようにさらに動作可能である請求項２０に記載のネットワークデバイス。
【請求項２２】
前記資産競売フィードバックモジュールは、メディアコンテンツプロバイダに潜在的に割り当てられる無線デバイス資産数対１つまたは複数の事前定義された潜在的入札額に基づいて調達されることが試みられる前記無線デバイス資産数の比として定義された１つまたは複数のシミュレートされた成功率を供給するようにさらに動作可能である請求項２０に記載のネットワークデバイス。
【請求項２３】
前記メモリの中に格納され、さらに前記少なくとも１つのプロセッサによって実行可能な資産割当てオプションモジュールをさらに備え、前記資産割当てオプションモジュールは、前記無線デバイス資産の１つまたは複数の資産の割当てに参加する割当てオプションを、複数の無線デバイスに供給するように動作可能である請求項１６に記載のネットワークデバイス。
【請求項２４】
前記資産割当てオプションモジュールは、前記無線デバイスの割り当てられた無線デバイス資産に関する前記１つまたは複数の勝者無線デバイス資産入札数に比例するレートで無線デバイス資産の前記割当ての報酬を払うように動作可能である請求項２３に記載のネットワークデバイス。
【請求項２５】
前記資産割当てオプションモジュールは、前記無線デバイス資産の前記割当てと関係する１つまたは複数の条件の識別を可能にする前記割当てオプションを提供するようにさらに動作可能であり、前記１つまたは複数の条件は、前記無線デバイス資産の割当てがトリガされるのに満たされるべきである請求項２３に記載のネットワークデバイス。
【請求項２６】
無線デバイスユーザに資産割当てオプションを提供するための方法であって、
１つまたは複数の無線デバイス資産の割当てに参加する割当てオプションを複数の無線デバイスに提供し、前記オプションは、前記無線デバイス資産の少なくとも１つの資産の前記割当ての前置きとして、１つまたは複数の条件の識別を可能にすること、
割り当てられるべき少なくとも１つの無線デバイス資産の識別を含む前記割当てオプションの受入れを受信すること、
メモリの中に前記資産割当てオプション受入れを格納すること、および
前記識別された無線デバイス資産が割り当てられた場合、報酬を開始することを備える方法。
【請求項２７】
１つまたは複数の無線デバイス資産の前記割当てに参加する割当てオプションを複数の無線デバイスに提供し、前記オプションは、前記無線デバイス資産の少なくとも１つの資産の前記割当ての前置きとして、１つまたは複数の条件の識別を可能にすることは、前記１つまたは複数の条件を、コンテンツのタイプ、無線デバイス資産の割当ての期間、および無線デバイス資産の割当てのロケーションから成る条件のグループから選択された条件としてさらに定義する請求項２６に記載の方法。
【請求項２８】
割り当てられるべき少なくとも１つの無線デバイス資産の識別を含む前記割当てオプションの受入れを受信することは、前記少なくとも１つの識別された無線デバイス資産の前記割当ての前置きとして、少なくとも１つの識別された無線デバイス資産に関連付けられた少なくとも１つの条件を含む前記割当てオプションの受入れを受信することをさらに備える請求項２６に記載の方法。
【請求項２９】
前記識別された無線デバイス資産が割り当てられた場合、報酬を開始することは、前記割り当てられた無線デバイス資産の１つまたは複数に関する１つまたは複数の勝者無線デバイス資産入札数に比例するレートで報酬を開始することをさらに備える請求項２６に記載の方法。
【請求項３０】
前記識別された無線デバイス資産が割り当てられた場合、報酬を開始することは、識別された条件の数量に比例するレートで報酬を開始することをさらに備える請求項２６に記載の方法。
【請求項３１】
無線デバイスに資産割当てオプションを提供するように構成された少なくとも１つのプロセッサであって、
１つまたは複数の無線デバイス資産の割当てに参加する割当てオプションを複数の無線デバイスに提供するための第１のモジュールと、前記オプションは、前記無線デバイス資産の少なくとも１つの資産の前記割当ての前置きとして、１つまたは複数の条件の識別を可能にし、
割り当てられるべき少なくとも１つの無線デバイス資産の識別を含む前記割当てオプションの受入れを受信するための第２のモジュールと、
メモリの中に前記資産割当てオプション受入れを格納するための第３のモジュールと、
前記識別された無線デバイス資産が割り当てられた場合、報酬を開始するための第４のモジュールとを備えるプロセッサ。
【請求項３２】
１つまたは複数の無線デバイス資産の割当てに参加する割当てオプションを複数の無線デバイスに提供するようにコンピュータにさせるための少なくとも１つの命令と、前記オプションは、前記無線デバイス資産の少なくとも１つの資産の前記割当ての前置きとして、１つまたは複数の条件の識別を可能にし、
割り当てられるべき少なくとも１つの無線デバイス資産の識別を含む前記割当てオプションの受入れを前記コンピュータに受信させるための少なくとも１つの命令と、
メモリの中に前記資産割当てオプションを格納するように前記コンピュータにさせるための少なくとも１つの命令と、
前記識別された無線デバイス資産が割り当てられた場合、報酬を開始するように前記コンピュータにさせるための少なくとも１つの命令とを備えるコンピュータ可読媒体を備えるコンピュータプログラム製品。
【請求項３３】
１つまたは複数の無線デバイス資産の割当てに参加する割当てオプションを複数の無線デバイスに提供するための手段と、前記オプションは、前記無線デバイス資産の少なくとも１つの資産の前記割当ての前置きとして、１つまたは複数の条件の識別を可能にし、
割り当てられるべき少なくとも１つの無線デバイス資産の識別を含む前記割当てオプションの受入れを受信するための手段と、
メモリの中に前記資産割当てオプション受入れを格納するための手段と、
前記識別された無線デバイス資産が割り当てられた場合、報酬を開始するための手段とを備える装置。
【請求項３４】
無線デバイスに資産割当てオプションを提供するためのネットワークデバイスであって、
少なくとも１つのプロセッサと、メモリとを含むコンピュータプラットフォームと、
前記メモリの中に格納され、さらに前記少なくとも１つのプロセッサによって実行可能な資産割当てオプションモジュールとを備え、前記資産割当てオプションモジュールは、
１つまたは複数の無線デバイス資産の割当てに参加するオプションを複数の無線デバイスに提供するように動作可能な割当てオプションプロバイダと、前記オプションは、前記無線デバイス資産の前記割当ての前置きとして、１つまたは複数の条件の識別を可能にし、
割り当てられるべき少なくとも１つの無線デバイス資産の識別を含む前記オプションの受入れを受信するように動作可能なオプション受入れレシーバと、
前記識別された無線デバイス資産が割り当てられた場合、報酬を開始するように動作可能な報酬イニシエータとを備えるネットワークデバイス。
【請求項３５】
前記割当てオプションプロバイダは、１つまたは複数の無線デバイス資産の前記割当てに参加するオプションを複数の無線デバイスに提供するようにさらに動作可能であり、前記オプションは、コンテンツのタイプ、無線デバイス資産の割当ての期間、および無線デバイス資産の割当てのロケーションから成る条件のグループから選択された１つまたは複数の条件の識別を可能にする請求項３４に記載のネットワークデバイス。
【請求項３６】
前記オプション受入れレシーバは、前記少なくとも１つの識別された無線デバイス資産の前記割当ての前置きとして、少なくとも１つの識別された無線デバイス資産に関連付けられた少なくとも１つの条件を含む前記オプションの受入れを受信するようにさらに動作可能である請求項３４に記載のネットワークデバイス。
【請求項３７】
前記報酬イニシエータは、前記割り当てられた無線デバイス資産に関する１つまたは複数の勝者無線デバイス資産入札数に比例するレートで報酬を払うようにさらに動作可能である請求項３４に記載のネットワークデバイス。
【請求項３８】
前記資産報酬モジュールは、識別された条件の数量に比例するレートで報酬を払うようにさらに動作可能である請求項３４に記載のネットワークデバイス。
【請求項３９】
無線デバイス資産を競売にかけるため、および無線デバイスに資産割当てオプションを提供するためのシステムであって、
少なくとも１つのプロセッサと、メモリとを含むコンピュータプラットフォームと、
前記メモリの中に格納され、さらに前記少なくとも１つのプロセッサによって実行可能な資産競売モジュールであって、
複数のメディアコンテンツプロバイダから、少なくとも１つの無線デバイス資産と、各無線デバイス資産に関連付けられた少なくとも１つの入札制約とを識別する資産獲得要求を受信するように動作可能な資産獲得要求レシーバと、
等価の無線デバイス資産と、前記等価の無線デバイス資産に関連付けられた入札制約の少なくとも１つのマッチとを識別する２つ以上の資産獲得要求に基づいて、前記等価の無線デバイス資産と、前記マッチした入札制約とを含む入札可能な無線デバイス資産を決定するように動作可能な入札可能な資産決定器と、
前記２つ以上の無線デバイス調達側の少なくとも１つから入札可能な無線デバイス資産入札を受信するように動作可能な入札レシーバと、
各入札に対するルーチンの適用に基づいて、前記入札可能な無線デバイス資産に関する勝者メディアコンテンツプロバイダを決定するように動作可能な割当てルーチンと、
前記入札可能な無線デバイス資産を、所定の期間にわたって前記勝者メディアコンテンツプロバイダに関連付けられた、割り当てられた無線デバイス資産として格納するように動作可能な割当て資産ストレージとを含むモジュールと、
前記メモリの中に格納され、さらに前記少なくとも１つのプロセッサによって実行可能な資産割当てオプションモジュールであって、
前記無線デバイス資産の前記割当ての前置きとして、１つまたは複数の条件の識別を可能にする、１つまたは複数の無線デバイス資産の前記割当てに参加するオプションを、複数の無線デバイスに提供するように動作可能な割当てオプションプロバイダと、
割り当てられるべき少なくとも１つの無線デバイス資産の識別を含む前記オプションの受入れを受信するように動作可能なオプション受入れレシーバと、
所定の期間にわたって前記オプション受入れを格納するように動作可能なオプション受入れストレージと、
前記識別された無線デバイス資産が割り当てられた場合、報酬を開始するように動作可能な報酬イニシエータとを含むモジュールとを備える少なくとも１つのネットワークデバイスを備えるシステム。
【請求項４０】
前記少なくとも１つのネットワークデバイスは、前記メモリの中に格納され、さらに前記プロセッサによって実行可能なネットワークプラットフォームモジュールをさらに備え、前記ネットワークプラットフォームモジュールは、前記資産獲得要求を開始するネットワークプラットフォームと、前記入札可能な無線デバイス資産に対して入札するネットワークプラットフォームとを、前記無線デバイスメディアコンテンツプロバイダに提供するように動作可能である請求項３９に記載のシステム。
【請求項４１】
前記資産獲得要求レシーバは、少なくとも１つの無線デバイス資産と、無線デバイスロケーション、期間、ユーザプロファイル情報、およびユーザ使用情報から成る入札制約のグループから選択された少なくとも１つの入札制約とを識別する前記資産獲得要求を受信するようにさらに動作可能である請求項３９に記載のシステム。
【請求項４２】
前記１つまたは複数のネットワークデバイスは、前記メモリの中に格納され、さらに前記少なくとも１つのプロセッサによって実行可能な資産競売フィードバックモジュールをさらに備え、前記資産競売フィードバックモジュールは、前記入札プロセスの結果と関係する自動化されたフィードバックを供給するように動作可能である請求項３９に記載のシステム。
【請求項４３】
前記報酬イニシエータは、前記割り当てられた無線デバイス資産に関する前記勝者無線デバイス資産入札に比例するレートで報酬を払うようにさらに動作可能である請求項３９に記載のシステム。
【請求項４４】
前記オプション受入れレシーバは、前記無線デバイス資産の前記割当てと関係する１つまたは複数の条件を含む前記オプションの受入れを受信するようにさらに動作可能であり、前記１つまたは複数の条件は、前記無線デバイス資産の割当てがトリガされるのに満たされるべきである請求項３９に記載のシステム。
【請求項４５】
前記報酬イニシエータは、前記１つまたは複数の条件が満たされ、さらに最適な無線デバイス資産入札が、各条件と関係している場合、識別された条件の数量と比例するレートで報酬を開始するようにさらに動作可能である請求項３９に記載のシステム。
【発明の詳細な説明】
【技術分野】
【０００１】
説明される態様は、無線通信に関し、より詳細には、無線デバイス資産を競売にかけるための方法、システム、および装置、ならびに無線デバイス資産を競売可能と指定するオプションを無線デバイスユーザに提供するための方法、システム、および装置に関する。
【背景技術】
【０００２】
無線通信ネットワークは、メディアコンテンツを受信者に配信するように指定されている。例えば、無線通信ネットワークは、複数の受信者に同時に情報を送信するブロードキャストシステムまたはマルチキャストシステムを備えることが可能である。ブロードキャスト番組を配信することに加えて、これらのタイプのメディア配信システムは、セルラ電話機などの無線通信デバイスに、別名、広告またはアドとも呼ばれる広告メディアコンテンツを配信するのに適していることが可能である。
【０００３】
広告主は、特定のターゲット視聴者に広告のそれぞれの広告メディアコンテンツを提示することを所望する可能性がある。例えば、ターゲットにされた視聴者に広告主の広告を提供することができることは、単に全体的な無線デバイス人口にランダムな広告を提供することと比べて、広告主に、より高い価値、および全体的利益をもたらす。このことは、より高い広告費用という点で広告主が喜んで対価を払う価値である。
【０００４】
サービスプロバイダの見地から、サービスプロバイダは、無線デバイスの大きい人口層にアクセスを有するとともに、メディアコンテンツ、特に広告を、ブロードキャスト／マルチキャストメディアコンテンツ配信などを介して、これらの無線デバイスに提供する能力を有する可能性がある。サービスプロバイダは、ターゲット広告視聴者を定義するのに使用されることが可能な、ユーザプロファイル情報などの有用な情報を広告主に提供することができる可能性があるが、サービスプロバイダは、ターゲットを絞った広告の代金として広告主にどのような価格を請求すべきかを決定するという点で、ターゲットを絞った広告の価値を定義することはできない。この評価問題は、２つ以上の広告主が、同一のターゲット視聴者を同時に所望する場合に、高まる。無線ネットワークモデルにおいて、この問題は、無線デバイスの一過性のために悪化する。例えば、ターゲット視聴者が、スポーツ事象の観客である事例において、ターゲット視聴者は、つかの間であり、さらに一部の事例では、にわかに集まっている可能性がある。
【０００５】
無線デバイスユーザから見て、ユーザは、オプションを提供された場合、或るタイプのメディアコンテンツ、特に、広告コンテンツの獲得に参加しないことを選択する可能性がある。ユーザから見た問題は、２つの点から成り、ユーザは、貴重で、限られた無線デバイス記憶容量を広告コンテンツに割り当てることを望まない可能性があり、さらにユーザは、不要な広告コンテンツに割り込まれる負担を課されることを望まない可能性がある。これらの問題は、配信されて、無線デバイスに格納される広告の量およびタイプを、無線デバイスユーザに関係があり、そのユーザの話題の対象となる広告コンテンツに限定することによって、緩和される。広告主レベルにおけるターゲットを絞った広告は、ユーザが受信する可能性がある広告のタイプを限定する役割をする可能性があるが、それらの広告が、ユーザに関係があり、さらに／または適時であることは、必ずしも保証しない。このことは、広告主レベルにおける従来のターゲットを絞った広告が、ユーザ想定、例えば、或る特定の年令グループおよび／または或る特定の性が、特徴的に、或る広告に関心があるという広告主の想定に基づくためである。この想定は、個々のユーザの特定の関心を必ずしも考慮に入れず、ユーザの現在のニーズを考慮に入れることもない。例えば、無線デバイスユーザが、現在、或る特定の製品を購入する必要がある場合、広告主は、この特定のユーザに配信される広告を、オンデマンドであつらえるための、ユーザの動的な購入ニーズに対する洞察を全く有さない。
【０００６】
さらに、無線デバイス上のメディアコンテンツ、特に、広告は、プログラムまたはアプリケーションに関連して提示されるオーディオコンテンツ、ビデオコンテンツ、またはマルチメディアコンテンツに限定されてきた。例えば、広告は、商業テレビブロードキャストでコマーシャルが提示される仕方と同様に、ブロードキャスト番組内、またはマルチキャスト番組内で、或る所定の間隔で提示されることが可能である。さらに、ビジュアルコンテンツまたはマルチメディアコンテンツが輪番で提示されることを許す、いくつかのアプリケーション内、またはいくつかのサービス内で、バナーが定義されることが可能である。しかし、無線デバイスは、メディアコンテンツ格納および／またはメディアコンテンツ提示を可能にする、無線デバイス資産と本明細書で呼ばれる他の手段を有する。このため、他のこれらの無線デバイス資産が、広告のための代替の手段を所望する、広告主などのメディアコンテンツプロバイダによってターゲットとされることが可能である。ネットワークプロバイダの見地から、そのような無線デバイス資産は、広告料の点で割増価格を要求することが可能である。しかし、多くの事例において、これらの無線デバイス資産は、広告のためのプラットフォームとして使用されず、したがって、無線デバイスユーザは、これらの無線デバイス資産へのアクセスを許可することに反対である可能性がある。
【発明の概要】
【０００７】
したがって、ターゲットを絞ったメディアコンテンツ配信、特に、ターゲットを絞った広告配信を可能にする包括的なシステムを開発する必要が、存在する。そのようなシステムは、別名、入札制約と本明細書で呼ばれる、メディアコンテンツプロバイダの定義された配信基準を満たす無線デバイスおよび／または無線デバイスユーザだけに、プロバイダのメディアコンテンツの配信のターゲットを絞る能力を、メディアコンテンツプロバイダに許さなければならない。さらに、この所望されるシステムは、メディアコンテンツプロバイダが、プロバイダのターゲットを絞った入札制約に価値をつけて、メディアコンテンツプロバイダが、それらのターゲットを絞った入札制約につけた価値と一致する広告料に限って、プロバイダが支払うようにすることを許さなければならない。また、この所望されるシステムは、メディアコンテンツを提示するためのプラットフォームとして使用されない、代替の無線デバイス資産へのアクセスをメディアコンテンツプロバイダに提供しなければならない。サービスプロバイダから見て、この所望されるシステムは、同一のターゲットグループに同一の期間にわたってメディアコンテンツ（例えば、広告）を提供することを所望する複数の広告主が、配信価格を決定づけることを可能にしなければならない。さらに、無線デバイスユーザから見て、この所望されるシステムは、ユーザが、コンテンツを受信するかどうか、どのようなタイプのコンテンツを受信するか、およびそのようなコンテンツに利用可能な無線デバイス資産を決定づけることを可能にしなければならない。
【０００８】
以下に、１つまたは複数の態様の簡略化された概要を、そのような態様の基本的な理解をもたらすために提示する。この概要は、企図されるすべての態様の広範な概観ではなく、すべての態様の重要な要素、または不可欠な要素を特定することも、いずれかの態様、またはすべての態様の範囲を線引きすることも意図していない。この概要の唯一の目的は、以下に提示されるより詳細な説明の前置きとして、１つまたは複数の態様のいくつかの概念を、簡略化された形態で提示することである。
【０００９】
このため、これらの態様は、メディアコンテンツ配信のためのシステム、方法、および装置を提供し、より詳細には、広告主などのメディアコンテンツプロバイダが、ターゲットを絞った視聴者に関する入札制約を定義することを可能にし、さらに２つ以上のメディアコンテンツプロバイダが、無線デバイス資産にアクセスすることを所望するとともに、同一の入札制約の１つまたは複数を定義している場合、無線デバイス資産に対して入札することを可能にする、メディアコンテンツサービスプロバイダによって実施される入札システムを提供する。さらに、このシステムは、無線デバイスユーザが、ユーザのそれぞれの無線デバイス資産の割当てに参加するとともに、無線デバイス資産の割当てが行われるのに満たされるべきである、コンテンツタイプ、期間などの条件を定義するオプションを提供されることを可能にする。１つまたは複数の態様において、無線デバイスユーザは、資産割当てプランに参加することを選択するユーザの意欲に基づいて、何らかの形態で報酬を受けることが可能である。
【００１０】
説明される態様は、別名、入札制約と本明細書で呼ばれる、メディアコンテンツプロバイダのそれぞれの定義された配信基準を満たす無線デバイスおよび／または無線デバイスユーザだけに、プロバイダのメディアコンテンツの配信のターゲットを絞る能力をプロバイダに与える。さらに、この入札システムは、メディアコンテンツプロバイダが、ターゲットを絞った無線デバイス資産（すなわち、メディアコンテンツプロバイダがアクセスを得ることを所望する無線デバイス資産）、およびプロバイダの定義された入札制約に価値をつけるとともに、この資産、およびこれらの入札制約の代金としてプロバイダが支払うことをいとわないコンテンツ配信レート（すなわち、配信の持続時間および頻度）を定義することを許す。さらに、本明細書で開示される態様は、メディアコンテンツプロバイダが、代替の無線デバイス資産を獲得することを許し、これらの資産は、広告などのメディアコンテンツプロバイダのメディアコンテンツを提示するためのプラットフォームとして使用される。
【００１１】
さらに、説明される態様は、デバイスユーザが、ユーザの無線デバイス資産の割当てに参加するとともに、条件が満たされた場合に限って、定義された無線デバイス資産の割当てが行われることが可能であるように、割当てに関連する条件を定義することを所望するかどうかを選択することを、ユーザに許す。さらに、一部の態様は、無線デバイスユーザが、無線デバイス資産の割当てに加わることを選択する／参加するユーザの意欲に対して、報酬を受けることを可能にする。
【００１２】
一態様によれば、無線デバイス資産を競売にかけるための方法が、定義される。この方法は、複数のメディアコンテンツプロバイダから、少なくとも１つの無線デバイス資産と、各無線デバイス資産に関連付けられた少なくとも１つの入札制約とを識別する資産獲得要求を受信すること、および等価の無線デバイス資産と、この等価の無線デバイス資産に関連付けられた入札制約の少なくとも１つのマッチとを識別する２つ以上の資産獲得要求に基づいて、入札可能な無線デバイス資産を決定することを含む。このため、入札可能な無線デバイス資産は、等価の無線デバイス資産と、マッチした入札制約とを含む。この方法は、２つ以上のメディアコンテンツプロバイダの少なくとも１つから入札可能な無線デバイス資産に対する入札を受信すること、各入札に適用される所定の割当てルーチンに基づいて、入札可能な無線デバイス資産に関する勝者メディアコンテンツプロバイダを決定すること、および入札可能な無線デバイス資産を、所定の期間にわたって勝者メディアコンテンツプロバイダに関連付けられた、割り当てられた無線デバイス資産として格納することをさらに含む。
【００１３】
選択される無線デバイス資産には、広告コンテンツなどのコンテンツを提示する、または収容するのに適した任意の無線デバイス資産が含まれることが可能である。１つまたは複数の入札可能な制約には、無線デバイスのロケーション、期間、ユーザプロファイル情報、ユーザ使用情報などが含まれることが可能である。例えば、ユーザプロファイル情報には、年令範囲、性別、収入範囲、アドレス範囲などが含まれることが可能である。
【００１４】
本発明の一態様において、各入札に適用される所定の割当てルーチンに基づいて、入札可能な無線デバイス資産に関する勝者メディアコンテンツプロバイダを決定することは、いずれの入札が勝者無線デバイス資産入札であるかを判定するように、所定の期間にわたって各入札を最適化することをさらに含む。最適化は、所定の期間にわたって割当てレートの最大化をもたらすことが可能である。
【００１５】
この方法の代替の態様は、入札プロセスの結果と関係する自動化されたフィードバックを各入札者に与えることを含むことが可能である。この自動化されたフィードバックは、メディアコンテンツプロバイダに割り当てられた無線デバイス資産数対メディアコンテンツプロバイダによって調達されることが試みられた無線デバイス資産数の比として定義される実際の成功率を含むことが可能である。さらに、自動化されたフィードバック情報は、１つまたは複数の事前定義された潜在的入札額に基づいて、メディアコンテンツプロバイダに潜在的に割り当てられる無線デバイス資産数対メディアコンテンツプロバイダによって調達されることが試みられる無線デバイス資産数の比として定義される、１つまたは複数のシミュレートされた成功率を含むことが可能である。
【００１６】
さらに、この方法は、資産獲得要求を開始する、さらに／または入札可能な無線デバイス資産に対して入札する、インターネットウェブサイトなどのネットワークプラットフォームをメディアコンテンツプロバイダに提供することを含むことが可能である。また、この方法は、勝者無線デバイス資産入札者が、割り当てられた無線デバイス資産に、広告コンテンツなどのメディアコンテンツを供給することを許可することを含むことも可能である。
【００１７】
一部の態様において、この方法は、無線デバイス資産の１つまたは複数の資産の割当てに参加する割当てオプションを複数の無線デバイスに提供することをさらに含むことが可能である。この割当てオプションは、無線デバイスの割り当てられた無線デバイス資産に対する１つまたは複数の勝者無線デバイス資産入札数に比例するレートで報酬を払うこと、または１つまたは複数の条件が満たされ、さらに勝者無線デバイス資産入札が各条件と関係する場合、識別された条件の数量に比例するレートで報酬を払うことを規定することが可能である。割当てオプションが提供される態様において、この方法は、少なくとも１つの利用可能な無線デバイス資産が、割り当てられるべき無線デバイス資産として指定されることを示す参加指示を、１つまたは複数の無線デバイスから受信することをさらに含むことが可能である。この参加指示は、その少なくとも１つの利用可能な無線デバイス資産の割当てと関係する１つまたは複数の条件を含むことが可能であり、この１つまたは複数の条件は、それぞれの無線デバイス資産の割当てをトリガするのに満たされるべきである。
【００１８】
関連する態様が、無線デバイス資産を競売にかけるように構成された少なくとも１つのプロセッサによって規定される。この少なくとも１つのプロセッサは、複数のメディアコンテンツプロバイダから、少なくとも１つの無線デバイス資産と、各無線デバイス資産に関連付けられた少なくとも１つの入札制約とを識別する資産獲得要求を受信するための第１のモジュールと、等価の無線デバイス資産と、この等価の無線デバイス資産に関連付けられた入札制約の少なくとも１つのマッチとを識別する２つ以上の資産獲得要求に基づいて、入札可能な無線デバイス資産を決定するための第２のモジュールとを含む。このため、入札可能な無線デバイス資産は、等価の無線デバイス資産と、マッチした入札制約とを含む。また、このプロセッサは、２つ以上のメディアコンテンツプロバイダの少なくとも１つから、入札可能な無線デバイス資産に対する入札を受信するための第３のモジュールと、各入札に適用される所定の割当てルーチンに基づいて、その入札可能な無線デバイス資産に関する勝者メディアコンテンツプロバイダを決定するための第４のモジュールと、その入札可能な無線デバイス資産を、所定の期間にわたって勝者メディアコンテンツプロバイダに関連付けられた、割り当てられた無線デバイス資産として格納するための第５のモジュールとを含む。
【００１９】
さらなる関連する態様が、コンピュータ可読媒体を含むコンピュータプログラム製品によって定義される。この媒体は、複数のメディアコンテンツプロバイダから、少なくとも１つの無線デバイス資産と、各無線デバイス資産に関連付けられた少なくとも１つの入札制約とを識別する資産獲得要求をコンピュータに受信させるための少なくとも１つの命令と、等価の無線デバイス資産と、この等価の無線デバイス資産に関連付けられた入札制約の少なくとも１つのマッチとを識別する２つ以上の資産獲得要求に基づいて、入札可能な無線デバイス資産をコンピュータに決定させるための少なくとも１つの命令とを含む。このため、入札可能な無線デバイス資産は、等価の無線デバイス資産と、マッチした入札制約とを含む。この媒体は、２つ以上のメディアコンテンツプロバイダの少なくとも１つから入札可能な無線デバイス資産に対する入札をコンピュータに受信させるための少なくとも１つの命令と、各入札に適用される所定の割当てルーチンに基づいて、入札可能な無線デバイス資産に関する勝者メディアコンテンツプロバイダをコンピュータに決定させるための少なくとも１つの命令と、入札可能な無線デバイス資産を、所定の期間にわたって勝者メディアコンテンツプロバイダに関連付けられた、割り当てられた無線デバイス資産としてコンピュータに格納させるための少なくとも１つの命令とをさらに含む。
【００２０】
さらに別の関連する態様が、装置によって規定される。この装置は、複数のメディアコンテンツプロバイダから、少なくとも１つの無線デバイス資産と、各無線デバイス資産に関連付けられた少なくとも１つの入札制約とを識別する資産獲得要求を受信するための手段と、等価の無線デバイス資産と、この等価の無線デバイス資産に関連付けられた入札制約の少なくとも１つのマッチとを識別する２つ以上の資産獲得要求に基づいて、入札可能な無線デバイス資産を決定するための手段と含む。入札可能な無線デバイス資産は、等価の無線デバイス資産と、マッチした入札制約とを含む。この装置は、２つ以上のメディアコンテンツプロバイダの少なくとも１つから入札可能な無線デバイス資産に対する入札を受信するための手段と、各入札に適用される所定の割当てルーチンに基づいて、入札可能な無線デバイス資産に関する勝者メディアコンテンツプロバイダを決定するための手段と、入札可能な無線デバイス資産を、所定の期間にわたって勝者メディアコンテンツプロバイダに関連付けられた、割り当てられた無線デバイス資産として格納するための手段とをさらに含む。
【００２１】
無線デバイス資産を競売にかけるためのネットワークデバイスが、さらなる態様を規定する。このネットワークデバイスは、少なくとも１つのプロセッサと、メモリとを含むコンピュータプラットフォームを含む。また、このネットワークデバイスは、メモリの中に格納され、さらに少なくとも１つのプロセッサによって実行可能な資産競売モジュールを含む。この資産競売モジュールは、複数のメディアコンテンツプロバイダから、少なくとも１つの無線デバイス資産と、各無線デバイス資産に関連付けられた少なくとも１つの入札制約とを識別する資産獲得要求を受信するように動作可能な資産獲得要求レシーバと、等価の無線デバイス資産と、この等価の無線デバイス資産に関連付けられた入札制約の少なくとも１つのマッチとを識別する２つ以上の資産獲得要求に基づいて、入札可能な無線デバイス資産を決定するように動作可能である入札可能な無線デバイス資産決定器とを含む。入札可能な無線デバイス資産は、等価の無線デバイス資産と、マッチした入札制約とを含む。また、この資産競売モジュールは、２つ以上の無線デバイス調達側の少なくとも１つから入札可能な無線デバイス資産入札を受信するように動作可能な入札レシーバと、各入札に対する割当てルーチンの適用に基づいて、入札可能な無線デバイス資産に関する勝者メディアコンテンツプロバイダを決定ように動作可能な割当てルーチンと、入札可能な無線デバイス資産を、所定の期間にわたって勝者メディアコンテンツプロバイダに関連付けられた、割り当てられた無線デバイス資産として格納するように動作可能な割当て資産ストレージとを含む。
【００２２】
ネットワークデバイスは、メモリの中に格納され、さらにプロセッサによって実行可能なネットワークプラットフォームモジュールをさらに含むことが可能である。このネットワークプラットフォームモジュールは、資産獲得要求を開始するネットワークプラットフォームをメディアコンテンツプロバイダに提供し、さらに入札可能な無線デバイス資産に対して入札するネットワークプラットフォームをメディアコンテンツプロバイダに提供するように動作可能である。
【００２３】
１つまたは複数の入札可能な制約には、無線デバイスのロケーション、期間、ユーザプロファイル情報、ユーザ使用情報などが含まれることが可能である。例えば、ユーザプロファイル情報には、年令範囲、性別、収入範囲、アドレス範囲などが含まれることが可能である。
【００２４】
一部の態様において、ネットワークデバイスは、入札プロセスの結果と関係する自動化されたフィードバックをもたらすように動作可能な資産競売フィードバックを含むことが可能である。これに関して、資産競売フィードバックモジュールは、メディアコンテンツプロバイダに割り当てられた無線デバイス資産数と、メディアコンテンツプロバイダによって調達されることが試みられた無線デバイス資産数との比として定義される実際の成功率、および／または１つまたは複数の事前定義された潜在的入札額に基づいて、メディアコンテンツプロバイダに潜在的に割り当てられる無線デバイス資産数対調達されることが試みられる無線デバイス資産数の比として定義される、１つまたは複数のシミュレートされた成功率をもたらすように動作可能であり得る。
【００２５】
ネットワークデバイスの他の態様において、資産競売モジュールは、勝者メディアコンテンツプロバイダが、割り当てられた無線デバイス資産に、広告メディアコンテンツなどのメディアコンテンツを供給することを許可するように動作可能な資産オーソライザを含むことが可能である。
【００２６】
いくつかの態様において、ネットワークデバイスは、メモリの中に格納され、さらに少なくとも１つのプロセッサによって実行可能な資産割当てオプションモジュールを含むことが可能である。そのような態様において、資産割当てオプションモジュールは、無線デバイス資産の１つまたは複数の資産の割当てに参加する割当てオプションを複数の無線デバイスに提供するように動作可能であり得る。割当てオプションは、無線デバイスの割り当てられた無線デバイス資産に対する１つまたは複数の勝者無線デバイス資産入札数に比例するレートの報酬を規定することが可能である。さらに、資産割当てオプションモジュールは、無線デバイス資産の割当てと関係する１つまたは複数の条件の識別をもたらすことが可能であり、この１つまたは複数の条件は、無線デバイス資産の割当てをトリガするのに満たされるべきである。そのような態様において、報酬レートは、１つまたは複数の条件が満たされ、さらに勝者無線デバイス資産入札が１つまたは複数の条件と関係する場合、識別された条件の数量に比例することが可能である。
【００２７】
さらなる態様が、無線デバイスユーザに資産割当てオプションを提供するための方法によって規定される。この方法は、１つまたは複数の無線デバイス資産の割当てに参加する割当てオプションを複数の無線デバイスに提供することを含み、このオプションは、無線デバイス資産の少なくとも１つの資産の割当ての前置きとして１つまたは複数の条件を識別すること、割り当てられるべき少なくとも１つの無線デバイス資産の識別を含む割当てオプションの受入れを受信すること、および識別された無線デバイス資産が割り当てられている場合、報酬を開始することを可能にする。報酬可能なオプションの受入れは、少なくとも１つの識別された無線デバイス資産の割当ての前置きとして、少なくとも１つの識別された無線デバイス資産に関連付けられた少なくとも１つの条件を含むことが可能である。
【００２８】
無線デバイス資産の割当ての前置きとして識別されることが可能な１つまたは複数の条件には、コンテンツのタイプ、無線デバイス資産の割当ての期間、無線デバイス資産の割当てのロケーションなどが含まれることが可能であるが、以上には限定されない。
【００２９】
この方法の一部の態様において、識別された無線デバイス資産が割り当てられた場合に報酬を開始することは、割り当てられた無線デバイス資産の１つまたは複数の資産に関する１つまたは複数の勝者無線デバイス資産入札数に比例するレートで報酬を開始すること、または代替として、識別された条件の数量に比例するレートで報酬を開始することをさらに備える。
【００３０】
関連する態様が、無線デバイスに資産割当てオプションを提供するように構成された少なくとも１つのプロセッサによって規定される。この少なくとも１つのプロセッサは、１つまたは複数の無線デバイス資産の割当てに参加する割当てオプションを複数の無線デバイスに提供するための第１のモジュールと、オプションは、無線デバイス資産の少なくとも１つの資産の割当ての前置きとして１つまたは複数の条件の識別を可能にし、割り当てられるべき少なくとも１つの無線デバイス資産の識別を含む割当てオプションの受入れを受信するための第２のモジュールと、識別された無線デバイス資産が割り当てられた場合、報酬を開始するための第３のモジュールとを含む。
【００３１】
別の関連する態様が、コンピュータプログラム製品によって規定される。コンピュータ可読媒体は、１つまたは複数の無線デバイス資産の割当てに参加する割当てオプションを複数の無線デバイスに提供するようにコンピュータにさせる少なくとも１つの命令であって、オプションは、無線デバイス資産の少なくとも１つの資産の割当ての前置きとして１つまたは複数の条件の識別を可能にし、割り当てられるべき少なくとも１つの無線デバイス資産の識別を含む割当てオプションの受入れをコンピュータに受け取らせるための少なくとも１つの命令と、識別された無線デバイス資産が割り当てられた場合、コンピュータに報酬を開始させるための少なくとも１つの命令とを含む。
【００３２】
さらに別の関連する態様が、装置によって規定される。この装置は、１つまたは複数の無線デバイス資産の割当てに参加する割当てオプションを複数の無線デバイスに提供するための手段と、オプションは、無線デバイス資産の少なくとも１つの資産の割当ての前置きとして１つまたは複数の条件の識別を可能にし、割り当てられるべき少なくとも１つの無線デバイス資産の識別を含む割当てオプションの受入れを受信するための手段と、識別された無線デバイス資産が割り当てられた場合、報酬を開始するための手段とを含む。
【００３３】
無線デバイスに資産割当てオプションを提供するためのネットワークデバイスが、さらに別の態様を規定する。このネットワークデバイスは、少なくとも１つのプロセッサと、メモリと、このメモリの中に格納され、さらにその少なくとも１つのプロセッサによって実行可能な資産割当てオプションモジュールとを含むコンピュータプラットフォームを含む。資産割当てオプションモジュールは、１つまたは複数の無線デバイス資産の割当てに参加する割当てオプションを複数の無線デバイスに提供するように動作可能な割当てオプションプロバイダと、オプションは、無線デバイス資産の割当ての前置きとして１つまたは複数の条件の識別を可能にし、割り当てられるべき少なくとも１つの無線デバイス資産の識別を含む報酬オプションの受入れを受信するように動作可能なオプション受入れレシーバと、識別された無線デバイス資産が割り当てられた場合、報酬を開始するように動作可能な報酬イニシエータとを含む。
【００３４】
１つまたは複数の入札制約には、無線デバイスのロケーション、期間、ユーザプロファイル情報、ユーザ使用情報などが含まれることが可能である。例えば、ユーザプロファイル情報には、年令範囲、性別、収入範囲、アドレス範囲などが含まれることが可能である。
【００３５】
ネットワークデバイスのいくつかの態様において、オプション受入れレシーバは、少なくとも１つの識別された無線デバイス資産の割当ての前置きとして、少なくとも１つの識別された無線デバイス資産に関連付けられた少なくとも１つの条件を含む割当てオプションの受入れを受信するようにさらに動作可能である。さらに、報酬イニシエータは、割り当てられた無線デバイス資産に関する１つまたは複数の勝者資産入札数に比例するレートで、または代替として、識別された条件の数量に比例するレートで報酬を払うようにさらに動作可能である。
【００３６】
無線デバイス資産を競売にかけるため、および無線デバイスに資産割当てオプションを提供するためのシステムが、別の態様を規定する。このシステムは、少なくとも１つのプロセッサと、メモリとを含むコンピュータプラットフォームを含む少なくとも１つのネットワークデバイスを含む。このネットワークデバイスは、メモリの中に格納され、さらに少なくとも１つのプロセッサによって実行可能な資産競売モジュールを含む。資産競売モジュールは、複数のメディアコンテンツプロバイダから、少なくとも１つの無線デバイス資産と、各無線デバイス資産に関連付けられた少なくとも１つの入札制約とを識別する資産獲得要求を受信するように動作可能な資産獲得要求レシーバと、等価の無線デバイス資産と、この等価の無線デバイス資産に関連付けられた入札制約の少なくとも１つのマッチとを識別する２つ以上の資産獲得要求に基づいて、入札可能な無線デバイス資産を決定するように動作可能な入札可能な無線デバイス資産決定器とを含む。このため、入札可能な無線デバイス資産は、等価の無線デバイス資産と、マッチした入札制約とを含む。資産競売モジュールは、２つ以上の無線デバイス調達側の少なくとも１つから入札可能な無線デバイス資産入札を受信するように動作可能な入札レシーバと、各入札に対する割当てルーチンの適用に基づいて、入札可能な無線デバイス資産に関する勝者メディアコンテンツプロバイダを決定ように動作可能な割当てルーチンと、入札可能な無線デバイス資産を、所定の期間にわたって勝者メディアコンテンツプロバイダに関連付けられた、割り当てられた無線デバイス資産として格納するように動作可能な割当て資産ストレージとをさらに含む。
【００３７】
このシステムのネットワークデバイスは、メモリの中に格納され、少なくとも１つのプロセッサによって実行可能な資産割当てオプションモジュールをさらに含む。資産割当てオプションモジュールは、１つまたは複数の無線デバイス資産の割当てに参加する割当てオプションを複数の無線デバイスに提供するように動作可能な割当てオプションプロバイダと、オプションは、無線デバイス資産の割当ての前置きとして１つまたは複数の条件の識別を可能にし、割り当てられるべき少なくとも１つの無線デバイス資産の識別を含む報酬オプションの受入れを受信するように動作可能なオプション受入れレシーバと、識別された無線デバイス資産が割り当てられた場合、報酬を開始するように動作可能な報酬イニシエータとを含む。
【００３８】
このため、これらの態様は、メディアコンテンツ配信のためのシステム、方法、および装置を提供し、より詳細には、広告主などのメディアコンテンツプロバイダが、ターゲットを絞った視聴者に関する入札制約を定義することを可能にし、さらに入札可能な無線デバイス資産が定義された場合、無線デバイス資産に対して入札することを可能にする入札システムを提供する。入札可能な無線デバイス資産は、２つ以上のメディアコンテンツプロバイダ（すなわち、広告主）が、同一の無線デバイス資産にアクセスすることを所望するとともに、その無線デバイス資産に関する同一の入札制約の１つまたは複数を定義している場合、定義される。さらに、このシステムは、無線デバイスユーザが、ユーザのそれぞれの無線デバイス資産の割当てに参加するとともに、無線デバイス資産の割当てが行われるのに満たされるべきである、コンテンツタイプ、期間などの条件を定義するオプションを提供されることを可能にする。多くの態様において、無線デバイスユーザは、資産割当てプランに参加することを選択するユーザの意欲に基づいて、何らかの形態で報酬を受けることが可能である。
【００３９】
以降、開示される態様は、開示される態様を限定するようにではなく、例示するように与えられ、同様の符号が要素を表す、添付の図面に関連して説明される。
【図面の簡単な説明】
【００４０】
【図１】或る態様による、無線デバイス資産を競売にかけるため、および無線デバイスに資産割当てオプションを提供するためのシステムを示す概略図。
【図２】或る態様による、無線デバイス資産を競売にかけるため、および無線デバイスに資産割当てオプションを提供するためのシステムを示すブロック図。
【図３】別の態様による、入札可能な無線デバイス資産を決定するための手続きの例を与える概略図。
【図４】別の態様による、所定の時間間隔にわたる最適化入札の例を提供する概略図。
【図５】別の態様による、メディアコンテンツプロバイダに入札システムを提供するために動作可能なネットワークデバイスを示すブロック図。
【図６】さらなる態様による、無線デバイスに資産割当てオプションを提供するために動作可能なネットワークデバイスを示すブロック図。
【図７】或る態様による、入札可能な無線デバイス資産を決定するため、および決定された無線デバイス資産に対して入札するための方法を示す流れ図。
【図８】さらに別の態様による、無線デバイスに資産割当てオプションを提供するための方法を示す流れ図。
【発明を実施するための形態】
【００４１】
次に、これらのデバイス、装置、方法、コンピュータ可読媒体、およびプロセスを、本発明の態様が示される、添付の図面を参照して、以下により完全に説明する。しかし、これらのデバイス、装置、方法、コンピュータ可読媒体、およびプロセスは、異なる多くの形態で実施されることが可能であり、本明細書で説明される態様に限定されると解釈されるべきではなく、むしろ、これらの態様は、本開示が、徹底的であり、完全であり、さらに本開示の範囲を当業者に完全に伝えるように与えられる。同様の符号は、全体にわたって同様の要素を指す。
【００４２】
さらに、以下の説明において、「例示的」という語は、例、事例、および例示の役割をすることを意味するように使用される。「例示的」として本明細書で説明されるいずれの態様または設計も、他の態様または設計より好ましい、または有利であると必ずしも解釈されるべきではない。むしろ、例示的という語の使用は、概念を具体的に提示することを意図している。
【００４３】
これらの様々な態様は、無線通信デバイスに関連して本明細書で説明される。無線通信デバイスは、加入者局、加入者ユニット、移動局、移動体、遠隔局、アクセスポイント、遠隔端末装置、アクセス端末装置、ユーザ端末装置、ユーザエージェント、ユーザデバイス、またはユーザ機器と呼ばれることも可能である。加入者局は、セルラ電話機、コードレス電話機、ＳＩＰ（セッション開始プロトコル）電話機、ＷＬＬ（無線ローカルループ）局、ＰＤＡ（携帯情報端末）、無線接続能力を有するハンドヘルドデバイス、または無線モデムに接続された他の処理デバイスであることが可能である。
【００４４】
本明細書で開示される態様に関して、以下の用語が、定義される。用語の定義は、本明細書で開示される態様のいずれの態様も限定するものと解釈されてはならないことに留意されたい。
【００４５】
メディアコンテンツプロバイダ  無線デバイス上に、広告などのコンテンツ配置し、さらに／または提示することを所望するエンティティ。
【００４６】
メディアコンテンツ事業者  無線デバイス上のメディアコンテンツの配信および提示をもたらすエンティティ
無線デバイスユーザ  無線デバイスを共通で所有する、またはそれ以外で無線デバイスを操作する個人、または個人のグループ
無線デバイス資産  ディスプレイ壁紙、オーディオリングトーン、ビジュアルリングトーン、マルチメディアリングトーン、メモリなどのメディアコンテンツの格納および／または提示をサポートする無線デバイスに関連する任意のフィーチャ、アプリケーション、または機構。
【００４７】
入札制約  無線デバイスに、広告などのメディアコンテンツを供給することに関する、広告主などのメディアコンテンツプロバイダの定義された無線デバイス基準および／または無線デバイスユーザ基準。
【００４８】
競売条件  ２つ以上のメディアコンテンツプロバイダが、同一の、または同様の無線デバイス資産にアクセスすることを所望するとともに、１つまたは複数の同一の、または同様の入札制約を定義している競売を提供することに関する条件。
【００４９】
入札可能な無線デバイス資産  １つまたは複数の競売条件が存在すると判定された無線デバイス資産。
【００５０】
これらの態様は、メディアコンテンツ配信のためのシステム、方法、および装置を提供する。より詳細には、メディアコンテンツ事業者などによって実施される入札システムが、広告主などのメディアコンテンツプロバイダが、ターゲットを絞った視聴者に関する入札制約を定義し、さらに無線デバイスメモリ、アプリケーション、リングトーン、壁紙などの無線デバイス資産に対して入札することを可能にする。例えば、２つ以上のメディアコンテンツプロバイダが、無線デバイス資産にアクセスすることを所望するとともに、同一の入札制約の１つまたは複数を定義している場合、競売条件が、生じる。さらに、このシステムは、無線デバイスユーザが、メモリ、リングトーン、壁紙、アプリケーションなどの、ユーザのそれぞれの無線デバイス資産の割当てに参加するとともに、無線デバイス資産の割当てが行われるのに満たされるべきである、コンテンツタイプ、期間などの条件を定義するオプションを提供されることを可能にする。多くの態様において、無線デバイスユーザは、資産割当てプランに参加することを選択するユーザの意欲に基づいて、何らかの形態で報酬を受けることが可能である。
【００５１】
図１は、或る態様による、無線デバイス資産を競売にかけるため、および無線デバイスユーザに資産割当てオプションを提供するためのシステムの高レベル概略図を与える。競売システム１０は、分散コンピュータネットワークにおいて実施され、１つまたは複数のネットワークデバイスと、関連するデータベースとを備えることが可能である。競売システムは、複数の潜在的なメディアコンテンツプロバイダ１２とネットワーク通信状態にある。１つまたは複数の態様によれば、メディアコンテンツプロバイダ１２は、広告などのメディアコンテンツを提示する目的で、メモリ、リングトーン、壁紙、アプリケーションなどの無線デバイス資産を獲得することを所望することが可能である。
【００５２】
一態様において、競売システム１０は、このシステムとメディアコンテンツプロバイダ１２の間の通信媒体としてインターネットを利用することが可能である。そのような態様において、競売システム１０は、メディアコンテンツプロバイダが、プロバイダ１２が獲得することを所望する１つまたは複数の無線デバイス資産を識別するとともに、それらの無線デバイス資産と関係する入札制約を識別することを許す情報を、インターネットウェブサイト、または他のネットワークインタフェースを介してメディアコンテンツプロバイダに供給する。入札制約は、所望される資産を獲得する入札に関連付けられた任意の条件であることが可能である。例えば、入札制約は、メディアコンテンツプロバイダが無線デバイス資産を獲得することを所望する無線デバイスのグループおよび／または期間を定義することが可能である。さらに、例えば、入札制約には、事前定義された期間、事前定義された地理的区域、年令範囲、収入範囲などの事前定義されたユーザプロファイルデータ、或る特定の製品に関心があるユーザ、または或る特定の関心を有するユーザなどの事前定義されたユーザ使用データが含まれることが可能であるが、以上には限定されない。
【００５３】
競売システム１０は、複数のメディアコンテンツプロバイダ１２から資産獲得要求または資産獲得入札を受信し、２つ以上の要求において、識別された無線デバイス資産と、入札制約との間でマッチが存在するかどうかを判定する。これに関して、「マッチ」という用語は、同一の無線デバイス資産を識別するとともに、定義された入札制約において少なくともいくらかの交差または重なり合いを有する２つ以上の資産獲得要求を指す。競売システム１０が、マッチが存在すると判定した場合、競売システム１０は、それぞれのマッチした無線デバイス資産と入札制約を、重なり合う無線デバイス資産と入札制約の獲得を要求した２つ以上のメディアコンテンツプロバイダ１２の間で競売に値する入札可能な無線デバイス資産として定義する。このため、メディアコンテンツ事業者が、複数の要求を同時に満たすことができず、かつ複数のメディアコンテンツプロバイダが、或る入札可能な無線デバイス資産へのアクセスを要求した場合、競売条件が、生じる。すると、競売システム１０は、関連付けられた入札制約を有する無線デバイス資産に対して入札する競売プラットフォームを、これらのメディアコンテンツプロバイダ１２に提供する。
【００５４】
例えば、資産システムは、無線デバイス資産を無線デバイスディスプレイ壁紙と定義し、さらに入札制約を、２５才〜４０才の間の女性と定義する第１の資産獲得要求を、第１のメディアコンテンツプロバイダ１２から受信し、さらに無線デバイス資産を無線デバイス壁紙と定義し、さらに入札制約を、３５才〜４０才の間の女性と定義する第２の資産獲得要求を、第２のメディアコンテンツプロバイダ１２から受信することが可能である。この事例において、年令グループ範囲の間に交差が存在するので、第１の資産獲得要求と第２の資産獲得要求の間にマッチが存在すると判定され、このため、壁紙に関する入札可能な無線デバイス資産、および３５才〜４０才の間の女性という入札制約に関して、競売条件が存在する。このため、これらの態様によれば、競売システムは、関連付けられた入札制約を有する無線デバイス資産に対して、この事例では、３５才〜４０才の間の女性であるユーザを有する無線デバイスに関する無線デバイス壁紙に対して入札する競売プラットフォームを、これらのメディアコンテンツプロバイダ１２に提供する。
【００５５】
競売システム１０は、少なくとも１つの入札制約を有する無線デバイス資産に対して入札するための、任意の知られているタイプの入札システムを規定することが可能である。例えば、時限競売、封印入札競売、ダッチ競売もしくは逆入札競売、所定の固定価格販売などが、競売システムによって実施されることが可能である。また、この競売システムには、すべての将来、知られることになる競売システムまたは入札システムも含まれる。
【００５６】
これらのメディアコンテンツプロバイダ１２から受信された入札に基づいて、競売システムは、競売勝者を決定し、さらにその勝者メディアコンテンツプロバイダに、その無線デバイス資産の使用を割り当てる。無線デバイス資産が割り当てられると、メディアコンテンツプロバイダは、無線デバイス資産の獲得されたグループに、広告などのコンテンツを供給することができる。
【００５７】
無線デバイスから見て、ユーザ１４は、一般に、これらの無線デバイス資産の多くを、ユーザの管理下にある個人的資産であると考える。例えば、リングトーンおよび壁紙は、従来、ユーザの所望されるリングトーンまたは壁紙を提示するための媒体として使用されてきた。さらに、無線デバイス上のメモリは、しばしば、限られており、したがって、ユーザは、無線デバイス上で後に提示するためにメモリの中に、広告または他のマーケティング材料、アプリケーションまたはプログラムなどのコンテンツを格納することを所望する可能性があるメディアコンテンツプロバイダに、メモリの相当な部分を割り当てないことを所望する可能性がある。このため、一部の態様では、競売システム１０は、無線のユーザが、リングトーン、壁紙、メモリ、アプリケーションなどの無線デバイス資産の割当てに参加することを選択する、またはそれ以外でそのような割当てを断ることを許す資産割当てオプションを、無線デバイスユーザ１４に提供することが可能である。この資産割当てオプションは、それぞれの無線デバイス上に格納された設定であることが可能であり、あるいはこのオプションは、ＳＭＳ（ショートメッセージサービス）、ＭＭＳ（マルチメディアメッセージサービス）、ｅｍａｉｌ（電子メール）、ボイスメールなどの、任意の知られている通信媒体を介して無線デバイスに無線で配信されるメッセージに対する応答を介して、決定されてもよい。
【００５８】
資産割当てオプションは、ユーザ１４が、無線デバイス資産の割当てを制限する条件を識別することを可能にすることができる。例えば、条件は、特定の製品タイプに関する広告などの、コンテンツの特定のタイプに関する割当て、特定の期間中の割当て、デバイスが或る特定の地理的区域内に位置している際の割当てなどのいずれか、または任意の組合せを含むことが可能であるが、以上には限定されない。このため、ユーザが、無線デバイス資産の割当てに関する１つまたは複数の条件を識別した場合、無線デバイス資産の割当ては、一般に、それらの条件が満たされた場合に限って、行われることが可能である。
【００５９】
多くの態様において、競売システム１０は、無線デバイス資産の割当てに参加するよう無線デバイスユーザ１４を促す誘因として、報酬をさらに含むことが可能である。前述したとおり、割り当てられた無線デバイス資産のいくつかは、ユーザによって、ユーザの管理下にある個人的資産と見なされ、したがって、その無線デバイス資産を獲得するために、ユーザは、正当に報酬を受ける必要性を感じる可能性がある。このため、ユーザが、無線デバイス資産の割当てに参加することを選択した（すなわち、オプトインした）場合、ユーザは、所定の報酬スキームに従って報酬を受けることが可能である。
【００６０】
図２は、一態様による、無線デバイス資産を競売にかけるため、および無線デバイスユーザ資産割当てオプションを提供するためのシステムのブロック図を提供する。システム１０は、サーバなどの１つまたは複数のネットワークデバイス２０と、対応するデータベース２２とを含む。簡明のため、図２に示されるシステムは、いくつかの態様は、複数の複数のネットワークデバイス２０および／またはデータベース２２を含む可能性があるものの、単一のネットワークデバイス２０、および単一のデータベース２２に限定される。さらに、データベース２２は、別個のエンティティであっても、１つまたは複数のネットワークデバイス２０のいずれかの内部に含まれるデータベースであってもよい。ネットワークデバイスは、複数のコンピューティングデバイス２４と有線通信状態、または無線通信状態にあり、各コンピューティングデバイスは、メディアコンテンツプロバイダ１２の管理下にある（図２に示さず）。コンピューティングデバイス２４は、メディアコンテンツプロバイダが無線デバイス資産に供給すること所望するコンテンツを格納するコンテンツデータベース２６と通信状態にある。さらに、ネットワークデバイス２０は、無線デバイス２４と通信状態、少なくとも部分的に、無線通信状態にあり、各無線デバイスは、ユーザ１４（図２に示さず）の管理下にある。
【００６１】
各ネットワークデバイス２０は、プロセッサ３２と、メモリ３４とを有するコンピュータプラットフォーム３０を含む。メモリ３４は、プロセッサ３２によって実行可能であり、さらに定義された入札制約を有する無線デバイス資産に関する入札プロセスをメディアコンテンツプロバイダ１２に提供するように動作可能な資産競売モジュール３６と、プロセッサ３２によって実行可能であり、無線デバイス１２に関連する無線デバイス資産の割当てに参加するオプションを無線デバイスユーザ１４に提供するように動作可能な資産割当てオプションモジュール３８とを含む。
【００６２】
資産競売モジュール３６は、少なくとも１つの無線デバイス資産と、各無線デバイス資産に関連付けられた少なくとも１つの入札制約とを識別する資産獲得要求を、メディアコンテンツプロバイダ１２から受信するように動作可能な資産獲得要求レシーバ４０を含む。前述したとおり、無線デバイス資産は、壁紙、リングトーン、およびメモリを含むことが可能であるが、以上には限定されない。入札制約は、無線デバイスもしくは無線デバイスユーザの或る特定のグループ、および／または無線デバイスもしくは無線デバイスユーザに関連する特性、またはコンテンツを提供する期間を識別する役割をする任意の条件であることが可能である。資産競売モジュール３６は、等価の無線デバイス資産と、この等価の無線デバイス資産に関連付けられた入札制約の少なくとも１つのマッチとを識別する２つ以上の資産獲得要求に基づいて、入札可能な無線デバイス資産を決定するように動作可能な入札可能資産決定器４２をさらに含む。前述したとおり、入札制約のマッチは、入札制約の正確なマッチに限定されず、定義された入札制約グループ化、入札制約範囲、入札制約期間などの交差および／または重なり合いを含むことも可能である。このため、入札可能な無線デバイス資産には、等価の無線デバイス資産、および少なくとも１つのマッチした入札制約が含まれることが可能である。
【００６３】
資産競売モジュール３６は、メディアコンテンツプロバイダから入札可能な無線デバイス資産に対する入札を受信するように動作可能な入札レシーバ４４をさらに含む。一部の態様において、入札レシーバ４４は、入札可能な無線デバイス資産を決定するのに使用される入札制約を定義する要求者だけから、入札を受信するように構成されることが可能である。他の態様において、入札可能な無線デバイス資産に対して入札することは、すべてのメディアコンテンツプロバイダ、またはすべてのメディアコンテンツプロバイダの一部分に開かれることが可能である。入札が誰から、どのように受信されるかは、競売がどのように構成されるかによって規定される。前述したとおり、競売システム１０は、時限競売、封印入札競売、ダッチ競売もしくは逆入札競売などを含むが、以上には限定されない、考えられる任意の競売プロセスを実施することが可能である。
【００６４】
さらに、資産競売モジュール３６は、入札可能な無線デバイス資産に関する勝者メディアコンテンツプロバイダを決定するように動作可能な割当てルーチン４６を含む。一態様において、この割当てルーチンは、勝者メディアコンテンツプロバイダを、競売において最高の入札をもたらすメディアコンテンツプロバイダとして決定するように構成されることが可能である。しかし、所定の割当てルーチンは、勝者メディアコンテンツプロバイダを決定する際に、メディアコンテンツプロバイダ優先ステータスなどの他の要因を考慮に入れてもよい。さらに、所定の割当てルーチン４６は、所定の期間にわたって受信された入札を最適化して、競売システム１０によって達せられる利得を最大にしようと試みるように構成されることが可能である。このため、勝者メディアコンテンツプロバイダは、必ずしも最高入札者ではない可能性がある。資産競売モジュール３６は、入札可能な無線デバイス資産の識別を、勝者メディアコンテンツプロバイダに関連付けられた、割り当てられた無線デバイス資産として格納するために動作可能な資産割当てストレージ４８をさらに含む。例えば、定義された入札制約に基づいて、割り当てられた無線デバイス資産は、ほとんどの態様において、有限の所定の期間にわたって割り当てられる。さらに、資産割当てストレージ４８は、ネットワークデバイス２０のメモリ３４に関連して示されるが、ストレージ４８は、代替として、データベース２２のいずれか１つの中に配置されてもよい。
【００６５】
資産割当てオプションモジュール３８は、１つまたは複数の無線デバイス資産の割当てに参加する割当てオプションを複数の無線デバイスに提供するように動作可能な割当てオプションプロバイダ５０を含む。割当てオプションプロバイダ５０は、ＳＭＳ、ＭＭＳ、電子メール、ボイスメールなどの、ただし、以上には限定されない任意の無線デバイス通信機構を介して、このオプションを通信するように構成されることが可能である。このオプションは、無線デバイス資産の少なくとも１つの資産の割当ての前置きとして、１つまたは複数の条件の識別を可能にする。前述したとおり、これらの条件は、特定の製品タイプに関する広告コンテンツなどの、メディアコンテンツのタイプ、無線デバイス資産を割り当てる期間、無線デバイス資産を割り当てる地理的ロケーションなどのいずれか、または任意の組合せを含むことが可能であるが、以上には限定されない。
【００６６】
資産割当てオプションモジュール３８は、割り当てられるべき少なくとも１つの無線デバイス資産の識別を含む割当てオプションの受入れを受信するように動作可能なオプション受入れレシーバ５２をさらに含む。一部の態様において、このオプションの受入れは、無線デバイス資産の割当てをトリガするのに満たされるべきである１つまたは複数の条件の識別をさらに含むことが可能である。また、資産割当てオプションモジュール３８は、所定の期間にわたって、このオプション受入れを格納するために動作可能なオプション受入れストレージ５４も含む。定義条件、システム構成、その他に基づいて、このオプション受入れは、所定の期間にわたって存続するように構成されることが可能である。さらに、オプション受入れストレージ５４は、ネットワークデバイス２０のメモリ３４に関連して示されるが、ストレージ５４は、代替として、データベース２２のいずれか１つの中に配置されてもよい。
【００６７】
資産割当てオプションモジュール３８は、オプション受入れをもたらした無線デバイスに関して報酬スキームを開始するように動作可能な報酬イニシエータ５６をさらに含む。例えば、無線デバイス資産を割り当てることに合意したことに対する報酬は、関連する競売プロセスの勝者入札に比例するレートで行われることが可能である。代替として、例えば、報酬は、識別された条件の数、およびメディアコンテンツプロバイダによって要求され、さらに入札が行われた、識別された条件の数に比例するレートに基づくことが可能である。報酬は、サービス料の減額、払戻金、賞品プログラム、くじ引きの機会、直接支払いなどのいずれか、または任意の組合せなどの、ただし、以上には限定されない任意の知られている形態であることが可能である。
【００６８】
図３は、一態様による、入札可能な無線デバイス資産がどのように特定され得るかの例を示す概略図を与える。第１のメディアコンテンツプロバイダが、第１の無線デバイス資産に関連付けられた第１の入札制約６０を定義する。例えば、第１のメディアコンテンツプロバイダは、第１の入札制約を、特定の地理的区域として、特定の時間帯などの特定の期間として、または特定の性別、特定の年令範囲、特定のユーザ関心、特定の収入レベルなどのユーザ関連の入札制約として定義することが可能である。図示される例では、第１の入札制約は、２００，０００ドル〜３００，０００ドルの範囲内のユーザ年間収入であり、さらに第１の無線デバイス資産は、無線デバイス壁紙であるものと想定されたい。第２のメディアコンテンツプロバイダが、第１の無線デバイス資産に関連付けられた第２の入札制約６２、すなわち、第１のメディアコンテンツプロバイダが獲得することを所望する等価の無線デバイス資産を定義する。図示される例に関して、第２の入札制約は、等価の無線デバイス壁紙資産に関する１５０，０００ドル〜２２５，０００ドルの範囲内のユーザ年間収入である。各メディアコンテンツプロバイダは、無線デバイス資産、およびプロバイダのそれぞれの入札制約を識別する資産獲得要求を、競売システムに供給する。
【００６９】
競売システムレベルで、メディアコンテンツ事業者、または他の競売システムを提供するエンティティが、等価の無線デバイス資産に関する入札制約を比較する。図３で示される例では、競売システムは、無線デバイスおよび／または無線デバイスユーザの全体的な人口６４に入札制約を適用する。図示される例では、全体的な人口６４は、或る特定の区域における無線デバイスユーザのすべて、例えば、カリフォルニア州サンディエゴ市におけるすべてのユーザに関する年間収入レベルのすべてを反映する。第１の入札制約６０と第２の入札制約６２の交差領域が、入札可能な無線デバイス資産６６を定義する。図示される例では、入札可能な無線デバイス資産６６は、２００，０００ドル〜２２５，０００ドルの年間収入範囲を有するユーザに関する無線デバイス壁紙と定義される。それぞれの入札制約６０および６２の交差しない部分６８、７０は、固定価格スキーム、または他の任意の知られている価格設定スキームに基づいて、割り当てられることが可能な無線デバイス資産を規定する。このため、図示される例では、交差しない部分６８は、２５５，０００ドル〜３００，０００ドルの年間収入を有する無線デバイスユーザの入札制約を反映し、交差しない部分７０は、１７５，０００ドル〜２００，０００ドルの年間収入を有する無線デバイスユーザの入札制約を反映する。無線デバイス壁紙に関する或る事前定義された期間で、さらに１７５，０００ドル〜２００，０００ドルの間、および／または２２５，０００ドル〜３００，０００ドルの間の年間収入という入札制約を定義している資産獲得要求をサブミットする他のメディアコンテンツプロバイダが存在しない事例において、これらの無線デバイス資産は、固定価格スキーム、または他の何らかの非競売割当てプロセスを使用して、割り当てられる。
【００７０】
図４は、一態様による、入札可能な無線デバイス資産に関する勝者メディアコンテンツプロバイダを決定する最適化ルーチンを実施する割当てルーチンの例を与える。図示される例では、異なる４つのメディアコンテンツプロバイダが、入札可能な無線デバイス資産に対する入札をもたらしている。各メディアコンテンツプロバイダは、異なる時間間隔において無線デバイス資産へのアクセスを所望する。図４に示される例では、３つの期間Ｔ１、Ｔ２、およびＴ３が、定義され、したがって、メディアコンテンツプロバイダ１が、第２の期間へのアクセスを所望し、メディアコンテンツプロバイダ２が、３つすべての期間に関するアクセスを所望し、メディアコンテンツプロバイダ３が、最初の２つの期間に関するアクセスを所望し、さらにメディアコンテンツプロバイダ４が、第３の期間に関するアクセスを所望する。「期間」は、時間の間隔と定義される。期間は、数時間という大きいものから、任意の小さい時間間隔までであることが可能である。期間の通常の長さは、状況およびビジネスニーズに依存する。図示される例では、メディアコンテンツプロバイダ１が、第２の期間に関して、１０ドルという最大競売入札をもたらし、メディアコンテンツプロバイダ２が、その３つの期間のそれぞれに関して、５ドルという最大競売入札をもたらし、メディアコンテンツプロバイダ３が、最初の２つの期間のそれぞれに関して、３ドルという最大競売入札をもたらし、さらにメディアコンテンツプロバイダ４が、第３の期間に関して、８ドルという最大入札をもたらすものと想定する。最大化ルーチンは、いずれの入札が、事前定義された期間に関して、最も高い全体的な利得を競売システムプロバイダにもたらすかを特定することができる。例えば、競売／メディアコンテンツサービスプロバイダは、メディアコンテンツプロバイダ１が、勝者コンテンツプロバイダであると判定された場合、１０ドル（１×１０ドル）を得ることができ、メディアコンテンツプロバイダ２が、勝者コンテンツプロバイダであると判定された場合、１５ドル（３×５ドル）を得ることができ、メディアコンテンツプロバイダ３が、勝者コンテンツプロバイダであると判定された場合、６ドル（２×３ドル）を得ることができ、さらにメディアコンテンツプロバイダ４が、勝者コンテンツプロバイダであると判定された場合、８ドル（１×８ドル）を得ることができる。このため、割当てルーチンは、或る期間にわたって入札を最適化して、入札最適化をもたらすことができ、さらに図４の例において、このことは、メディアコンテンツプロバイダ２が、複数の期間から成ることが可能な、事前定義された時間間隔に関する最も高い全体的な利得に基づいて、勝者コンテンツプロバイダと考えられることをもたらす。一部の態様において、各入札に関して、最適化ルーチンは、入札されないが、最適化の時間間隔内の各期間、例えば、入札に関するＴ１およびＴ３に関連する固定料金、または他の非競売収入をさらに含むことが可能である。
【００７１】
図５を参照すると、別の態様により、無線デバイス資産を競売にかけるためのネットワークデバイスの詳細なブロック図が、示されている。ネットワークデバイス２０は、任意のタイプのハードウェア、サーバ、パーソナルコンピュータ、ミニコンピュータ、メインフレームコンピュータ、または専用もしくは汎用のコンピューティングデバイスである任意のコンピューティングデバイスの少なくとも１つを備えることが可能である。さらに、ネットワークデバイス２０上で、またはデバイス２０によって動作させられる、または実行されるものとして、本明細書で説明されるモジュールおよびアプリケーションは、完全にネットワークデバイス２０上で実行されることが可能であり、あるいは代替として、他の態様では、別々のサーバまたはコンピュータデバイスが、関係者に使用可能なフォーマットでデータを供給し、さらに／またはコンピューティングデバイス２４、無線デバイス２６、ならびにネットワークデバイス２０によって実行されるモジュールおよびアプリケーションの間のデータフローにおける制御の別個の層をもたらすように、協調して働くことが可能である。
【００７２】
ネットワークデバイス２０は、有線ネットワークまたは無線ネットワークを介してデータを送受信することができ、さらにルーチンおよびアプリケーションを実行することができるコンピュータプラットフォーム３０を含む。コンピュータプラットフォーム３０は、ＲＡＭおよびＲＯＭ（読取り専用メモリおよび／またはランダムアクセスメモリ）、ＥＰＲＯＭ、ＥＥＰＲＯＭ、フラッシュカード、またはコンピュータプラットフォームに共通の任意のメモリなどの、揮発性メモリおよび不揮発性メモリを備えることが可能な、メモリ３４を含む。さらに、メモリ３４は、１つまたは複数のフラッシュメモリセルを含むことが可能であり、あるいは磁気媒体、光媒体、テープ、またはソフトディスクもしくはハードディスクなどの任意の二次ストレージデバイスまたは三次ストレージデバイスであることが可能である。
【００７３】
さらに、コンピュータプラットフォーム３０は、ＡＳＩＣ（特定用途向け集積回路）、または他のチップセット、論理回路、または他のデータ処理デバイスであることが可能なプロセッサ３２も含む。プロセッサ３２は、ネットワークデバイス２０の機能、ならびに有線ネットワーク上、および／または無線ネットワーク上のネットワークデバイスの運用性を可能にする、ハードウェア、ファームウェア、ソフトウェア、および以上の組合せで実施された様々な処理サブシステム８０を含む。例えば、処理サブシステム８０は、他のネットワーク化されたデバイスを相手に通信を開始すること、および維持すること、ならびにデータを交換することを可能にすることができる。開示される態様に関して、プロセッサ３２の処理サブシステム８０は、資産割当てモジュール３６と対話する任意のサブシステム構成要素を含むことが可能である。
【００７４】
コンピュータプラットフォーム４８は、ネットワークデバイス２０の様々な構成要素の間、ならびにネットワークデバイス２０とコンピューティングデバイス２４の間で通信を可能にする、ハードウェア、ファームウェア、ソフトウェア、および以上の組合せで実施された通信モジュール８２をさらに含む。通信モジュール８２は、無線通信接続を確立するための、要求されるハードウェア、ファームウェア、ソフトウェア、および／または以上の組合せを含むことが可能である。通信モジュール８２は、コンピューティングデバイス２６から資産獲得要求および無線デバイス資産入札を受信するように動作可能である。
【００７５】
また、ネットワークデバイス１６のメモリ３４は、資産獲得要求を開始するため、入札可能な無線資産入札を入力するため、および入札フィードバックおよび／または入札結果フィードバックを受信するためのネットワークインタフェースを、メディアコンテンツプロバイダに提供するように動作可能な競売プラットフォームモジュール８４も含むことが可能である。これに関して、競売プラットフォームモジュール８４は、資産獲得要求プラットフォーム８６と、競売入札プラットフォーム８８と、競売フィードバックプラットフォーム９０とを含むことが可能である。一態様において、競売プラットフォームは、インターネットベースの競売プラットフォームを実施することを規定し、あるいは他の任意のネットワークベースのプラットフォームが、実施されることが可能である。資産獲得要求プラットフォーム８６は、メディアコンテンツプロバイダの関心を引く可能性がある、来たるべき事象について、メディアコンテンツプロバイダに通知するように構成されることが可能である。例えば、大量の観客が観戦するフットボールの試合が、類似した関心を有する無線デバイスユーザの大きいグループが、決まったロケーションに決まった期間にわたって集まることをもたらすことが可能である。そのような事象通知は、期間、地理的区域、ユーザ関心などの、その事象と関係する入札制約を伴う資産獲得要求を刺激する役割をする可能性がある。
【００７６】
また、ネットワークデバイス１６のメモリ３４は、入札可能な無線デバイス資産を定義し、その入札可能な無線デバイス資産を競売にかけ、さらに勝者メディアコンテンツプロバイダを決定するように動作可能な資産競売モジュール３６も含む。資産競売モジュール３６は、メディアコンテンツプロバイダ１２から、少なくとも１つの無線デバイス資産９４と、各無線デバイス資産に関連付けられた少なくとも１つの入札制約９６とを識別する資産獲得要求９２を受信するように動作可能な資産獲得要求レシーバ４０を含む。前述したとおり、無線デバイス資産には、壁紙、リングトーン、アプリケーション、およびメモリのいずれか、または任意の組合せが含まれることが可能であるが、以上には限定されない。入札制約は、無線デバイスもしくは無線デバイスユーザの或る特定のグループ、コンテンツを提供する期間、および／または無線デバイスが位置することが可能な地理的区域のいずれか、または任意の組合せを識別する役割をする任意の条件であることが可能である。
【００７７】
また、資産競売モジュールは、事前定義された期間中に受信された要求が、入札可能な無線デバイス資産を決定するために考慮されるように、獲得要求を受信する期間を定義することが可能であることにも留意されたい。さらに、獲得要求を受信する期間は、にわかな事象が生じたことに基づいて、動的に定義されることが可能である。例えば、資産獲得要求を受信する期間が最短であることを要求する、気象事象などの緊急の事象が、生じる可能性がある。
【００７８】
資産競売モジュール３６は、等価の無線デバイス資産と、この等価の無線デバイス資産に関連付けられた入札制約の少なくとも１つのマッチとを識別する２つ以上の資産獲得要求に基づいて、入札可能な無線デバイス資産９８を決定するように動作可能な入札可能資産決定器４２をさらに含む。入札制約のマッチは、入札制約の正確なマッチに限定されず、定義された入札制約グループ化、入札制約範囲、入札制約期間などの交差および／または重なり合いを含むことも可能である。一部の態様において、入札可能な無線デバイス資産は、２つ以上の入札制約がマッチする事例においてなど、複数の入札制約を含むことが可能である。このため、入札可能な無線デバイス資産９８には、等価の無線デバイス資産、および少なくとも１つのマッチした入札制約１００が含まれることが可能である。
【００７９】
資産競売モジュール３６は、メディアコンテンツプロバイダから入札可能な無線資産９８に対する入札可能な無線デバイス資産入札１０２を受信するように動作可能な入札レシーバ４４をさらに含む。一部の態様において、入札レシーバ４４は、入札可能な無線資産の入札制約の範囲内の入札制約を定義した要求者（すなわち、入札可能な無線デバイス資産を決定するのに使用された資産獲得要求者）だけから入札を受信するように構成されることが可能である。他の態様において、入札可能な無線デバイス資産に対して入札することは、メディアコンテンツプロバイダのすべて、またはすべてのプロバイダの一部分に開かれることが可能である。入札が誰から、どのように受信されるかは、競売がどのように構成されるかによって規定される。前述したとおり、競売システム１０は、時限競売、封印入札競売、ダッチ競売もしくは逆入札競売などを含むが、以上には限定されない、考えられる任意の競売プロセスを実施することが可能である。
【００８０】
さらに、資産競売モジュール３６は、入札可能な無線デバイス資産９８に関する勝者メディアコンテンツプロバイダを決定するように動作可能な割当てルーチン４６を含む。これに関して、この割当てルーチンは、勝者メディアコンテンツプロバイダ１０４を、競売において最高の入札をもたらすメディアコンテンツプロバイダとして決定するように構成されることが可能である。しかし、所定の割当てルーチン４６は、勝者メディアコンテンツプロバイダ１０４を決定する際に、メディアコンテンツプロバイダ優先ステータスなどの他の要因を考慮に入れてもよい。さらに、所定の割当てルーチン４６は、所定の期間にわたって受信された入札を最適化して、競売システム１０によって達せられる利得を最大にしようと試みるように構成されることが可能である。このため、勝者メディアコンテンツプロバイダは、必ずしも最高入札者ではない可能性がある。
【００８１】
資産競売モジュール３６は、入札可能な無線デバイス資産９８を、所定の期間にわたって、勝者メディアコンテンツプロバイダ１０４に関連付けられた、割り当てられた無線デバイス資産として格納するために動作可能な資産割当てストレージ４８をさらに含む。入札制約を定義することに基づいて、またはそれ以外で、割り当てられた無線デバイス資産は、ほとんどの態様において、有限の所定の期間にわたって割り当てられる。さらに、資産割当てストレージ４８は、ネットワークデバイス２０のメモリ３４に関連して示されるが、ストレージ４８は、代替として、データベース２２のいずれか１つの中に配置されてもよい。
【００８２】
資産競売モジュール３６は、メディアコンテンツプロバイダが、割り当てられた無線デバイス資産にメディアコンテンツを供給することを許可するように動作可能な資産オーソライザ１０６をさらに含むことが可能である。一部の態様において、供給されるメディアコンテンツには、広告コンテンツ、マーケティングコンテンツ、行政情報コンテンツなどが含まれることが可能である。割り当てられた無線デバイス資産がリングトーンである事例において、広告コンテンツは、無線デバイスリングトーンにキャッチフレーズなどを挿入すること、または無線デバイスリングトーンをメディアコンテンツプロバイダのＣＭ曲などで置き換えることを含むことが可能である。このリングトーン挿入は、コンテンツの小さい部分だけにわたることが可能である。例えば、所定のリングトーンに、コンテンツプロバイダは、所定の間隔で製品またはサービスの語を挿入することができる。割り当てられた無線デバイス資産が壁紙である事例において、ビデオ広告コンテンツが、無線デバイスの既存の壁紙の範囲内に挿入される（すなわち、上に重ねられる）ことが可能であり、あるいはその壁紙が、完全に置き換えられてもよい。割り当てられた無線デバイス資産がアプリケーションである事例において、ビデオ広告コンテンツ、オーディオ広告コンテンツ、またはマルチメディア広告コンテンツが、そのアプリケーションに挿入される、またはそのアプリケーションに関連して、それ以外で実行されることが可能である。割り当てられた無線デバイス資産がメモリである事例において、メディアコンテンツプロバイダは、無線デバイスのメモリの中の別個の或る量の空間を割り当てられることが可能であり、さらに要求されるサイズ限度を有する任意のオーディオ広告コンテンツ、ビデオ広告コンテンツ、またはマルチメディア広告コンテンツを供給することを許可されることが可能である。このオーディオコンテンツ、ビデオコンテンツ、またはマルチメディアコンテンツは、その後、広告のための割り当てられた期間を有するブロードキャストメディアプレーヤまたはマルチキャストメディアプレーヤなどの、アプリケーションによってアクセスされる。
【００８３】
ネットワークデバイス２０のメモリ３４は、入札するメディアコンテンツプロバイダに、プロセス中および／またはプロセス後の入札結果を提供するように動作可能な競売フィードバックモジュール１０８をさらに含むことが可能である。プロセス中入札結果に関して、フィードバックモジュール１０８は、提案された実際の入札と、無線デバイス資産、および関連付けられた入札制約と関係する履歴データとに基づいて、プロセス中の予測された成功率１１０をユーザに提供するように構成されることが可能である。このプロセス中の予測された成功率に基づいて、メディアコンテンツプロバイダは、提案される入札を実際の入札としてサブミットすることに同意することが可能であり、あるいはこのプロセス中の予測された成功率に基づいて、プロバイダの入札をより高く、またはより低く調整することを選択することができる。プロセス後結果に関して、フィードバックモジュール１０８は、実際の成功率１１２を定義するように構成されることが可能であり、成功率１１２は、メディアコンテンツプロバイダに割り当てられた無線デバイス資産数対入札プロセスを介してメディアコンテンツプロバイダによって獲得されることが試みられた無線デバイス資産数の比と定義される。さらに、フィードバックモジュールは、１つまたは複数の事前定義された潜在的入札額に基づいて、メディアコンテンツプロバイダに潜在的に割り当てられる無線デバイス資産数対メディアコンテンツプロバイダによって調達されることが試みられる無線デバイス資産数の比として定義される、１つまたは複数のシミュレートされた成功率１１４をもたらすように構成されることが可能である。言い換えれば、シミュレーションされた成功率は、入札するメディアコンテンツプロバイダが、より高い入札額をもたらしていたとした場合、達せられたであろう成功の率を示す。
【００８４】
図６を参照すると、別の態様により、無線デバイスに資産割当てオプションを提供するためのネットワークデバイスの詳細なブロック図が、示されている。ネットワークデバイス２０を含むことが可能なネットワークデバイス２１は、任意のタイプのハードウェア、サーバ、パーソナルコンピュータ、ミニコンピュータ、メインフレームコンピュータ、または専用もしくは汎用のコンピューティングデバイスである任意のコンピューティングデバイスの少なくとも１つを備えることが可能である。さらに、ネットワークデバイス２１上で、またはデバイス２１によって動作させられる、または実行されるものとして、本明細書で説明されるモジュールおよびアプリケーションは、完全にネットワークデバイス２１上で実行されることが可能であり、あるいは代替として、他の態様では、別々のサーバまたはコンピュータデバイスが、関係者に使用可能なフォーマットでデータを供給し、さらに／またはコンピューティングデバイス２４、無線デバイス２６、ならびにネットワークデバイス２１によって実行されるモジュールおよびアプリケーションの間のデータフローにおける制御の別個の層をもたらすように、協調して働くことが可能である。
【００８５】
ネットワークデバイス２１は、有線ネットワークまたは無線ネットワークを介してデータを送受信することができ、さらにルーチンおよびアプリケーションを実行することができるコンピュータプラットフォーム３１を含む。コンピュータプラットフォーム３１は、ＲＡＭおよびＲＯＭ（読取り専用メモリおよび／またはランダムアクセスメモリ）、ＥＰＲＯＭ、ＥＥＰＲＯＭ、フラッシュカード、またはコンピュータプラットフォームに共通の任意のメモリなどの、揮発性メモリおよび不揮発性メモリを備えることが可能な、メモリ３４を含む。さらに、メモリ３４は、１つまたは複数のフラッシュメモリセルを含むことが可能であり、あるいは磁気媒体、光媒体、テープ、またはソフトディスクもしくはハードディスクなどの任意の二次ストレージデバイスまたは三次ストレージデバイスであることが可能である。さらに、コンピュータプラットフォーム３１は、ＡＳＩＣ（特定用途向け集積回路）、または他のチップセット、論理回路、または他のデータ処理デバイスであることが可能なプロセッサ３２も含む。プロセッサ３２は、ネットワークデバイス２０の機能、ならびに有線ネットワーク上、および／または無線ネットワーク上のネットワークデバイスの運用性を可能にする、ハードウェア、ファームウェア、ソフトウェア、および以上の組合せで実施された様々な処理サブシステム８０を含む。例えば、処理サブシステム８０は、他のネットワーク化されたデバイスを相手に通信を開始すること、および維持すること、ならびにデータを交換することを可能にすることができる。開示される態様に関して、プロセッサ３２の処理サブシステム８０は、資産割当てモジュール３６と対話する任意のサブシステム構成要素を含むことが可能である。
【００８６】
コンピュータプラットフォーム４８は、ネットワークデバイス２１の様々な構成要素の間、ならびにネットワークデバイス２１とコンピューティングデバイス２４の間で通信を可能にする、ハードウェア、ファームウェア、ソフトウェア、および以上の組合せで実施された通信モジュール８２をさらに含む。通信モジュール８２は、無線通信接続を確立するための、要求されるハードウェア、ファームウェア、ソフトウェア、および／または以上の組合せを含むことが可能である。通信モジュール８２は、コンピューティングデバイス２６から資産獲得要求および無線デバイス資産入札を受信するように動作可能である。
【００８７】
メモリ３４は、無線デバイスに資産割当てオプションを供与するように動作可能な資産割当てオプションモジュール３８をさらに含む。資産割当てオプションモジュール３８は、１つまたは複数の無線デバイス資産１２０の割当てに参加する割当てオプションを複数の無線デバイスに提供するように動作可能な割当てオプションプロバイダ５０を含む。競売システムプロバイダ、または他のメディアコンテンツサービスプロバイダが、プロバイダが獲得することを所望する無線デバイスを識別することができ、あるいは無線デバイスユーザが、ユーザが割り当てることを所望する無線デバイス資産を識別することができる。割当てオプションプロバイダ５０は、ＳＭＳ、ＭＭＳ、電子メール、ボイスメールなどの、ただし、以上には限定されない任意の無線デバイス通信機構を介して、このオプションを通信するように構成されることが可能である。資産割当てオプションプロバイダ５０は、割当てのために識別されている無線デバイス資産の少なくとも１つの資産の割当ての前置きとして、１つまたは複数の条件を識別する能力を無線デバイスユーザに提供するように動作可能な条件アイデンティファイア１２２を含むことが可能である。前述したとおり、これらの条件は、特定の製品タイプに関する広告コンテンツなどの、メディアコンテンツのタイプ、無線デバイス資産を割り当てる期間、無線デバイス資産を割り当てる地理的ロケーションなどを含むことが可能であるが、以上には限定されない。資産割当てオプションの受入れがユーザ報酬をもたらす態様において、報酬レートは、入札プロセスを介して識別され、割り当てられた条件の数に基づくことが可能である。
【００８８】
資産割当てオプションモジュール３８は、割り当てられるべき少なくとも１つの無線デバイス資産１２６の識別を含む割当てオプションの受入れ１２４を受信するように動作可能なオプション受入れレシーバ５２をさらに含む。一部の態様において、このオプションの受入れは、無線デバイス資産の割当てをトリガするのに満たされるべき１つまたは複数の条件１２８の識別をさらに含むことが可能である。
【００８９】
また、資産割当てオプションモジュール３８は、所定の期間にわたってオプション受入れを格納するために動作可能なオプション受入れストレージ５４も含む。このオプション受入れは、ストレージの中で無線デバイスおよび／または無線デバイスのユーザにマップされる。条件を定義すること、システム構成、またはその他に基づいて、オプション受入れは、所定の期間にわたって存続するように構成されることが可能である。さらに、オプション受入れストレージ５４は、ネットワークデバイス２１のメモリ３４に関連して示されるが、ストレージ５４は、代替として、データベース２２のいずれか１つの中に配置されてもよい。
【００９０】
資産割当てオプションモジュール３８は、オプション受入れをもたらした無線デバイスに関して報酬スキームを開始するように動作可能な報酬イニシエータ５６をさらに含む。無線デバイス資産を割り当てることに合意したことに対する報酬は、関連する競売プロセスの勝者入札に比例するレートとして定義された資産報酬レート１２６で行われることが可能である。代替として、この報酬は、識別された条件の数、およびメディアコンテンツプロバイダによって入札が行われた、識別された条件の数に比例するレートとして定義された条件量レート１２８で行われてもよい。報酬は、サービス料の減額、払戻金、賞品プログラム、くじ引きの機会、直接支払いなどの、ただし、以上には限定されない任意の知られている形態であることが可能である。
【００９１】
図７は、或る態様による、入札可能な無線デバイス資産を決定するため、および入札プロセスを介して、無線デバイス資産に関する勝者メディアコンテンツプロバイダを決定するための方法の流れ図である。オプションの事象２００で、資産割当て要求を開始するネットワークプラットフォームが、メディアコンテンツプロバイダに提供される。このネットワークプラットフォームは、メディアコンテンツプロバイダが競売システムとインタフェースをとることを可能にするインターネットウェブサイトなどを含むことが可能である。資産割当て要求は、メディアコンテンツプロバイダが獲得するようにターゲットを絞った、少なくとも１つの識別された無線デバイス資産と、その無線デバイス資産に関連付けられた１つまたは複数の入札制約とを含むことが可能である。一態様において、無線デバイス資産には、リングトーン、壁紙、アプリケーション、およびメモリが含まれることが可能であるが、以上には限定されない。一態様において、入札制約には、特定の期間、特定の地理的ロケーション、性別、年令、収入などの特定のユーザプロファイル情報、無線デバイス上のサービス、アプリケーションなどの使用のタイプおよび繰り返しなどのユーザ使用情報が含まれることが可能であるが、以上には限定されない。
【００９２】
事象２１０で、資産獲得要求が、マルチメディアコンテンツプロバイダから競売システムによって受信され、さらに事象２２０で、入札可能な無線デバイス資産が、等価の無線デバイス資産と、その無線デバイス資産に関連付けられた少なくとも１つのマッチする入札制約とを識別する２つ以上の資産獲得要求に基づいて、特定される。等価の無線デバイス資産は、必ずしも厳密に同一の無線デバイス資産ではなく、競売システムによって等価であると見なされる任意の無線デバイス資産であることが可能である。入札制約のマッチングは、入札制約の正確なマッチ、または入札制約範囲、入札制約間隔、入札制約期間、入札制約グループなどの任意の重なり合いもしくは交差を含むことが可能である。
【００９３】
事象２３０で、入札可能な無線デバイス資産が決定されると、入札プロセスが、開始され、入札が、１つまたは複数のメディアコンテンツプロバイダから受信される。入札プロセスは、すべてのメディアコンテンツプロバイダに、または同一の、もしくは類似した無線デバイス資産、およびマッチする入札制約を有する資産獲得要求を開始したメディアコンテンツプロバイダを含むグループなどの、メディアコンテンツプロバイダの任意のサブセットに開かれていることが可能である。入札プロセスは、時限競売、封印入札競売、ダッチ競売もしくは逆入札競売などの任意の知られている、または将来、知られることになる入札プロセスを実施することが可能である。
【００９４】
オプションの事象２４０で、競売システムに入札を通信することに先立って、プロセス中競売フィードバックが、メディアコンテンツプロバイダに供給されることが可能である。例えば、プロセス中競売フィードバックは、入札するメディアコンテンツプロバイダが或る入札額を提案して、競売システムが、類似した入札制約を有する類似した無線デバイス資産に関する前の競売履歴に基づいて、成功のゆう度で応答することができるようにすることが可能である。このタイプのプロセス中フィードバックは、入札するメディアコンテンツプロバイダが、実際の入札を送ることに先立って、プロバイダの入札を相応に再調整して、プロバイダの入札の成功をさらに確実にすることを許す。
【００９５】
事象２５０で、各入札に適用される所定の割当てルーチンに基づいて、入札可能な無線デバイス資産に関する勝者メディアコンテンツプロバイダが、決定される。この所定の割当てルーチンは、実施されている入札プロセスのタイプを考慮に入れることが可能である。さらに、この所定の割当てルーチンは、事前定義された時間間隔にわたる入札の最適化を可能にして、競売プロバイダが最大の利益を得ることを確実にすることが可能である。また、この所定の割当てルーチンは、勝者メディアコンテンツプロバイダを決定する際に、メディアコンテンツプロバイダ優先ステータスなどの、入札金額以外の要因を考慮に入れてもよい。このため、一部の事例では、勝者メディアコンテンツプロバイダは、最高入札額をもたらしていない可能性がある。事象２６０で、入札可能な無線デバイス資産は、所定の期間にわたって勝者メディアコンテンツプロバイダに関連付けられた、割り当てられた無線デバイス資産として格納される。
【００９６】
オプションの事象２７０で、競売後フィードバックが、入札をもたらしたメディアコンテンツプロバイダに供給されることが可能である。競売後フィードバックは、完了した競売／入札プロセスからの統計データに依拠する。競売後フィードバックは、メディアコンテンツプロバイダによって獲得された実際の無線デバイス資産数対メディアコンテンツプロバイダが獲得することを試みた無線デバイス資産数として定義された、実際の成功率を含むことが可能である。さらに、競売後フィードバックは、シミュレートされた、より高い入札額に基づく、無線デバイス資産を獲得することのシミュレートされた成功率をメディアコンテンツプロバイダに供給する、シミュレートされた成功率を含むことが可能である。
【００９７】
オプションの事象２８０で、競売システムは、割り当てられた無線デバイス資産にメディアコンテンツを供給することを、勝者メディアコンテンツプロバイダに許可することができる。一部の態様において、メディアコンテンツは、広告コンテンツ、マーケティングコンテンツ、またはその他の情報コンテンツである。供給されるメディアコンテンツが広告コンテンツである態様において、この広告コンテンツには、リングトーン広告挿入、リングトーン広告ＣＭ曲、壁紙ビデオ／マルチメディア広告置換、壁紙ビデオ／マルチメディア広告挿入、オーディオ／ビデオ／マルチメディアアプリケーション挿入、ビデオ広告、オーディオ広告、マルチメディア広告などが含まれることが可能である。
【００９８】
オプションの事象２９０で、競売システムは、勝者コンテンツを含むコンテンツを、無線デバイスにさらに配信することが可能である。
【００９９】
図８は、或る態様による、無線デバイスに資産割当てオプションを提供するための方法の流れ図を与える。事象３００で、１つまたは複数の無線デバイス資産の割当てに参加する割当てオプションが、無線デバイスに提供される。さらに、このオプションは、無線デバイス資産の割当てが行われるのに満たされるべき１つまたは複数の条件の識別を可能にする。このオプションは、割り当てられることが所望される無線デバイス資産を識別することが可能であり、あるいは無線デバイスユーザが、ユーザが割り当てることを所望する無線デバイス資産を識別してもよい。無線デバイス資産には、リングトーン、壁紙、メモリ、アプリケーションなどが含まれることが可能である。条件には、メディアコンテンツのタイプ、無線デバイスのロケーション、期間／間隔などが含まれることが可能であるが、以上には限定されない。
【０１００】
事象３１０で、割り当てられるべき少なくとも１つの無線デバイス資産の識別、およびオプションとして、割り当てられた無線デバイス資産に関連付けられた１つまたは複数の条件を含む割当てオプションの受入れが、受信される。イベント３２０で、この受入れが、この受入れを、無線デバイス、識別された無線デバイス資産、およびオプションとして、任意の対応する条件にマップする、関連するデータベースの中に格納される。
【０１０１】
事象３３０で、無線デバイス資産が割り当てられた場合、報酬が、開始される。一部の事例において、割り当てられた無線デバイス資産に関するメディアコンテンツプロバイダは、勝者入札プロセスなどを介するなどして、あらかじめ識別されていることが可能であり、その場合、報酬は、即時に開始されることが可能である。他の事例、特に、１つまたは複数の条件が、無線デバイス資産の割当てに関連付けられている事例において、無線デバイスが、その無線デバイス資産を割り当てることに同意した後、メディアコンテンツプロバイダが、識別される、または識別されるように試みられる。この事例において、無線デバイス資産の実際の割当ては、無線デバイス資産に課せられた条件の１つまたは複数が、メディアコンテンツプロバイダによって満たされない場合、行われない可能性がある。一態様において、報酬は、勝者メディアコンテンツプロバイダが競売で支払ったレートに比例するレートに基づくことが可能である。他の態様において、報酬レートは、メディアコンテンツプロバイダによって識別されて、満たされる条件の数量に比例することが可能である。さらに、報酬は、セルラ料金などのサービス料の減額、払戻金、直接支払い、賞品プログラム、ラッフル参加などの、任意の知られているフォーマットであることが可能である。
【０１０２】
本明細書で開示される実施形態に関連して説明される様々な例示的なロジック、論理ブロック、モジュール、および回路は、汎用プロセッサ、ＤＳＰ（ディジタル信号プロセッサ）、ＡＳＩＣ（特定用途向け集積回路）、ＦＰＧＡ（フィールドプログラマブルゲートアレー）もしくは他のプログラマブル論理デバイス、ディスクリートのゲートもしくはトランジスタロジック、ディスクリートのハードウェア構成要素、または本明細書で説明される機能を実行するように設計された以上の任意の組合せで実施される、または実行されることが可能である。汎用プロセッサは、マイクロプロセッサであることが可能であるが、代替として、このプロセッサは、任意の従来のプロセッサ、コントローラ、マイクロコントローラ、または状態マシンであることが可能である。また、プロセッサは、コンピューティングデバイスの組合せ、例えば、ＤＳＰとマイクロプロセッサの組合せとして、複数のマイクロプロセッサとして、ＤＳＰコアと連携する１つまたは複数のマイクロプロセッサとして、または他の任意のそのような構成として実施されることも可能である。さらに、少なくとも１つのプロセッサは、前述したステップおよび／またはアクションの１つまたは複数を実行するように動作可能な１つまたは複数のモジュールを備えることが可能である。
【０１０３】
さらに、本明細書で開示される態様に関連して説明される方法またはアルゴリズムのステップおよび／またはアクションは、ハードウェアで直接に、またはプロセッサによって実行されるソフトウェアモジュールで、あるいはその２つの組合せで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形態の記憶媒体の中に存在することが可能である。例示的な記憶媒体が、このプロセッサに結合されることが可能であり、したがって、このプロセッサは、その記憶媒体から情報を読み取ること、およびその記憶媒体に情報を書き込むことができる。代替として、記憶媒体は、プロセッサと一体化していてもよい。さらに、一部の態様において、プロセッサと記憶媒体は、ＡＳＩＣ内に存在することが可能である。さらに、ＡＳＩＣは、ユーザ端末装置内に存在することが可能である。代替として、プロセッサと記憶媒体は、ユーザ端末装置内のディスクリートの構成要素として存在してもよい。さらに、一部の態様において、方法またはアルゴリズムのステップおよび／またはアクションは、コンピュータプログラム製品に組み込まれることが可能な、マシン可読媒体上、および／またはコンピュータ可読媒体上のコードおよび／または命令の１つ、または任意の組合せもしくはセットとして存在することが可能である。
【０１０４】
以上の開示は、例示的な態様および／または実施形態を説明するが、添付の特許請求の範囲によって規定される、説明される態様および／または実施形態の範囲を逸脱することなく、そのような態様および／または実施形態に様々な変更および変形が行われることも可能であることに留意されたい。さらに、説明される態様および／または実施形態の要素は、単数形で説明される、または主張されるが、単数形に限定されることが明記されない限り、複数形も企図される。さらに、任意の態様および／または実施形態のすべて、または一部分が、特に明記しない限り、他の任意の態様および／または実施形態のすべて、または一部分と一緒に利用されることが可能である。
【０１０５】
このため、これらの態様は、メディアコンテンツ配信のためのシステム、方法、および装置を提供し、より詳細には、広告主などのメディアコンテンツプロバイダが、ターゲットを絞った視聴者に関する入札制約を定義することを可能にし、さらに入札可能な無線デバイス資産が定義される場合、無線デバイスメモリ、無線デバイスアプリケーション、無線デバイスリングトーン、無線デバイス壁紙などの無線デバイス資産に対して入札することを可能にする入札システムを提供する。入札可能な無線デバイス資産は、２つ以上のメディアコンテンツプロバイダ（すなわち、広告主）が、同一の無線デバイス資産へのアクセスを所望するとともに、その無線デバイス資産に関して同一の入札制約の１つまたは複数を定義している場合、定義される。さらに、このシステムは、無線デバイスユーザが、メモリ、アプリケーション、リングトーン、壁紙などのユーザのそれぞれの無線デバイス資産の割当てに参加するとともに、無線デバイス資産の割当てが行われるのに満たされるべきである、コンテンツタイプ、期間などの条件を定義するオプションを提供されることを可能にする。１つまたは複数の態様において、無線デバイスユーザは、資産割当てプランに参加することを選択するユーザの意欲に基づいて、何らかの形態で報酬を受けることが可能である。
【０１０６】
多くの変形、およびその他の態様が、以上の説明、および関連する図面において提示される教示を利用する、本発明が関係する分野の業者に想起されよう。したがって、態様は、開示される特定の態様に限定されるべきではないこと、ならびに変形、およびその他の態様が、添付の特許請求の範囲に含まれることが意図されていることを理解されたい。特定の用語が、本明細書で説明されるものの、これらの用語は、一般的な、記述的な意味で使用され、限定するために使用されるのではない。したがって、説明される態様は、添付の特許請求の範囲の趣旨および範囲に含まれる、すべてのそのような代替、変形、および変種を包含することを意図している。さらに、「含む」という用語が、詳細な説明、または特許請求の範囲において使用される限りで、そのような用語は、「備える」という用語が、請求項におけるつなぎの言葉として使用される場合の、「備える」と同様に、包含的であることが意図される。
【図１】
2014013580.tif 000003
【図２】
2014013580.tif 000004
【図３】
2014013580.tif 000005
【図４】
2014013580.tif 000006
【図５】
2014013580.tif 000007
【図６】
2014013580.tif 000008
【図７】
2014013580.tif 000009
【図８】
2014013580.tif 000010
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
コンピュータにおいて無線デバイスユーザに資産割当てオプションを提供するための方法であって、
前記コンピュータによって、１つまたは複数の無線デバイス資産の割当てに参加する割当てオプションを複数の無線デバイスに提供し、前記オプションは、前記無線デバイス資産の少なくとも１つの資産の前記割当ての前置きとして、前記複数の無線デバイスの無線デバイスユーザに１つまたは複数の条件の識別を可能にし、前記複数の無線デバイスは無線加入者デバイスに対応し、
前記コンピュータによって、割り当てられるべき少なくとも１つの無線デバイス資産の識別を含む前記割当てオプションの受入れを前記複数の無線デバイスの中の所与の無線デバイスから受信すること、
前記コンピュータによって、識別された無線デバイス資産を前記所与の無線デバイスに割り当てるか否かを決定すること
を備える方法。
【請求項２】
前記１つまたは複数の条件は、コンテンツのタイプ、無線デバイス資産の割当ての期間、および／又は無線デバイス資産の割当てのロケーションから成る条件のグループから選択された条件としてさらに定義する請求項１に記載の方法。
【請求項３】
前記割り当てオプションの割り当ての受け入れは、前記割り当てオプションによって許可された少なくとも１つの条件とともに受信され、前記決定は、前記少なくとも１つの条件の少なくとも一部に基づく請求項１に記載の方法。
【請求項４】
前記識別された無線デバイス資産が前記所与の無線デバイス割り当てられるべきと決定することは、
前記割り当てられた無線デバイス資産の１つまたは複数に関する１つまたは複数の勝者無線デバイス資産入札数に比例するレートで報酬を開始することをさらに備える請求項１に記載の方法。
【請求項５】
前記識別された無線デバイス資産が前記所与の無線デバイス割り当てられるべきと決定することは、
前記少なくとも１つの条件によって識別された条件の数量に比例するレートで報酬を開始することをさらに備える請求項１に記載の方法。
【請求項６】
無線デバイスに資産割当てオプションを提供するように構成された少なくとも１つのプロセッサであって、
１つまたは複数の無線デバイス資産の割当てに参加するための割当てオプションを複数の無線デバイスに提供するための第１のモジュールと、前記オプションは、前記無線デバイス資産の少なくとも１つの資産の前記割当ての前置きとして、前記複数の無線デバイスの無線デバイスユーザに１つまたは複数の条件の識別を可能にし、前記複数の無線デバイスは無線加入者デバイスに対応し、
割り当てられるべき少なくとも１つの無線デバイス資産の識別を含む前記割当てオプションの受入れを前記複数の無線デバイスの中の所与の無線デバイスから受信するための第２のモジュールと、
識別された無線デバイス資産を前記所与の無線デバイスに割り当てるか否かを決定する第３のモジュールとを具備し、
前記第１のモジュール乃至第３のモジュールの少なくとも１つは、ハードウェアモジュール又はソフトウェア及びハードウェアモジュールである、プロセッサ。
【請求項７】
命令が記録されたコンピュータ読み取り可能な記録媒体であって、前記命令はコンピュータによって実行された場合に、前記コンピュータに処理を実行させ、前記命令は、
１つまたは複数の無線デバイス資産の割当てに参加するための割当てオプションを複数の無線デバイスに提供するようにコンピュータにさせるための少なくとも１つの命令と、前記オプションは、前記無線デバイス資産の少なくとも１つの資産の前記割当ての前置きとして、前記複数の無線デバイスの無線デバイスユーザに１つまたは複数の条件の識別を可能にし、前記複数の無線デバイスは無線加入者デバイスに対応し、
割り当てられるべき少なくとも１つの無線デバイス資産の識別を含む前記割当てオプションの受入れを前記複数の無線デバイスの中の所与の無線デバイスから前記コンピュータに受信させるための少なくとも１つの命令と、
識別された無線デバイス資産を前記所与の無線デバイスに割り当てるか否かを決定するための少なくとも１つの命令と
を備えるコンピュータ読み取り可能な記録媒体。
【請求項８】
１つまたは複数の無線デバイス資産の割当てに参加する割当てオプションを複数の無線デバイスに提供するための手段と、前記オプションは、前記無線デバイス資産の少なくとも１つの資産の前記割当ての前置きとして、前記複数の無線デバイスの無線デバイスユーザに１つまたは複数の条件の識別を可能にし、前記複数の無線デバイスは無線加入者デバイスに対応し、
割り当てられるべき少なくとも１つの無線デバイス資産の識別を含む前記割当てオプションの受入れを前記複数の無線デバイスの中の所与の無線デバイスから受信するための手段と、
前記コンピュータによって、識別された無線デバイス資産を前記所与の無線デバイスに割り当てるか否かを決定する手段と
を備える装置。
【請求項９】
無線デバイスに資産割当てオプションを提供するためのネットワークデバイスであって、
少なくとも１つのプロセッサと、メモリとを含むコンピュータプラットフォームと、
前記メモリの中に格納され、さらに前記少なくとも１つのプロセッサによって実行可能な資産割当てオプションモジュールとを備え、前記資産割当てオプションモジュールは、
１つまたは複数の無線デバイス資産の割当てに参加するオプションを複数の無線デバイスに提供するように動作可能な割当てオプションプロバイダと、前記オプションは、前記無線デバイス資産の前記割当ての前置きとして、前記複数の無線デバイスの無線デバイスユーザに１つまたは複数の条件の識別を可能にし、前記複数の無線デバイスは無線加入者デバイスに対応し、
割り当てられるべき少なくとも１つの無線デバイス資産の識別を含む前記オプションの受入れを前記複数の無線デバイスの中の所与の無線デバイスから受信するように動作可能なオプション受入れレシーバとを具備し、
前記資産割当てオプションモジュールは、さらに、識別された無線デバイス資産を前記所与の無線デバイスに割り当てるか否かを決定する
ネットワークデバイス。
【請求項１０】
前記１つ又は複数の条件は、コンテンツのタイプ、無線デバイス資産の割当ての期間、および／又は無線デバイス資産の割当てのロケーションから成る条件のグループから選択された１つまたは複数の条件の識別を可能にする請求項９に記載のネットワークデバイス。
【請求項１１】
前記割り当てオプションの割り当ての受け入れは、前記割り当てオプションによって許可された少なくとも１つの条件とともに受信され、前記決定は、前記少なくとも１つの条件の少なくとも一部に基づく請求項９に記載のネットワークデバイス。
【請求項１２】
前記資産割当てオプションモジュールが識別された無線デバイス資産を前記所与の無線デバイスに割り当てるか否かを決定することは、さらに、
前記割り当てられた無線デバイス資産に関する１つまたは複数の勝者無線デバイス資産入札数に比例するレートで報酬を開始するように動作可能である報酬イニシエータをさらに具備する、請求項９に記載のネットワークデバイス。
【請求項１３】
前記資産割当てオプションモジュールが識別された無線デバイス資産を前記所与の無線デバイスに割り当てるか否かを決定することは、さらに、
前記少なくとも１つの条件によって識別された条件の数量に比例するレートで報酬を開始するように動作可能である報酬イニシエータをさらに具備する、請求項９に記載のネットワークデバイス。
【請求項１４】
前記少なくとも１つの無線デバイス資産は、前記少なくとも１つの無線デバイスに格納され、及び／又は前記少なくとも１つの無線デバイスによって提示されるように構成されたメディアコンテンツに関連付けられている請求項１記載の方法。
【請求項１５】
前記少なくとも１つの無線デバイス資産は、(i)  前記少なくとも１つの無線デバイスによって表示されるように構成された壁紙の表示、(ii)  前記少なくとも１つの無線デバイスによって表示されるように構成されたオーディオ(audio)、映像(visual)、及び／又はマルチメディア呼び出し音(multimedia ringtone)、(iii)  前記少なくとも１つの無線デバイスによって実行されるように構成されたメディアコンテンツ関連アプリケーション、を含む請求項１４記載の方法。
【請求項１６】
前記少なくとも１つの無線デバイス資産は、前記少なくとも１つの無線デバイスから除外されるメディアコンテンツに関連付けられている請求項１記載の方法。
【請求項１７】
前記少なくとも１つの無線デバイス資産は、より多くのメモリが、前記除外されたコンテンツに基づいて、前記少なくとも１つの無線デバイスで利用可能となるような、前記少なくとも１つの無線デバイスのメモリ使用を含む請求項１６記載の方法。
【請求項１８】
前記資産割当てオプションの受け入れをメモリに格納し、
前記識別された無線デバイス資産が割り当てられた場合、報酬を開始することをさらに具備する請求項１記載の方法。
【外国語明細書】
2014013580000001.pdf